(57)【要約】物体または人体の表面の一部の輪郭にほぼ沿うコンフォーマルセンサ装置を用いて、物体または人体の特性を監視するシステム、方法、装置、および機器について記述する。測定値は、表面の一部の温度の特性および共形接触の程度を表すデータを含む。解析エンジンを用いてデータを解析し、温度の特性を表す少なくとも１個のパラメータを生成する。少なくとも１個のパラメータと所定閾値との比較に基づいて、環境条件を調整すべく少なくとも１個の警報を発することができ、および／またはコマンドを送信することができる。少なくとも１個の警報は、物体または人体に危害が及ぶ潜在的リスクを示すことができる。
2016527649.tif 000002
【特許請求の範囲】
【請求項１】
物体または人体の表面の一部に装着されたコンフォーマルセンサ装置を用いて前記物体または前記人体に危害が及ぶ潜在的リスクを監視するシステムであって、
プロセッサ実行可能命令を保存する少なくとも１個のメモリと、
前記少なくとも１個のメモリにアクセスして前記プロセッサ実行可能命令を実行する処理部と
を含み、前記プロセッサ実行可能命令が、
前記コンフォーマルセンサ装置の少なくとも１個のセンサ素子の少なくとも１個の測定値を表すデータを受信する通信モジュールであって、
前記少なくとも１個の測定値が、前記表面の前記一部の温度の特性の定量値を含み、
前記コンフォーマルセンサ装置が前記表面の形状にほぼ沿うことで、ある程度の共形接触を行い、および
前記少なくとも１個の測定値を表す前記データが、前記共形接触の前記程度を表すデータを含む、通信モジュールと、
解析エンジンであって、
前記少なくとも１個の測定値を表す前記データを解析し、
前記共形接触の前記程度に基づいて前記温度の前記特性を表す少なくとも１個のパラメータを生成し、および
前記温度の前記特性を表す前記少なくとも１個のパラメータを所定閾値と比較するプロセッサ実行可能命令を含む、解析エンジンと、
通知要素であって、
前記温度の前記特性を表す前記少なくとも１個のパラメータが前記所定閾値を上回る場合は時点Ｔ１で第１の警報を発し、および
前記温度の前記特性を表す前記少なくとも１個のパラメータが前記所定閾値を下回り、且つ、その後少なくとも滞留時間ｔにわたり前記所定閾値を上回る場合はＴ１よりも後の時点Ｔ２で第２の警報を発するプロセッサ実行可能命令を含む、通知要素と
を含み、前記第２の警報が前記物体または人体に危害が及ぶ潜在的リスクを示す、システム。
【請求項２】
前記滞留時間ｔが、約３分、約５分、約８分、または約１０分である、請求項１に記載のシステム。
【請求項３】
前記温度の前記特性が、大きさ、空間勾配、および時間に伴う変化率のうちの少なくとも１つである、請求項１に記載のシステム。
【請求項４】
前記データおよび前記少なくとも１個のパラメータのうちの少なくとも１つを表示するディスプレイモジュールを更に含む、請求項１に記載のシステム。
【請求項５】
前記コンフォーマルセンサ装置が、前記少なくとも１個の測定値を表す前記データを送信する少なくとも１個の通信インターフェースを更に含む、請求項１に記載のシステム。
【請求項６】
前記コンフォーマルセンサ装置が可撓性および伸縮性のうちの少なくとも１つを有する基板を更に含み、前記少なくとも１個のセンサ素子が前記可撓性および前記伸縮性のうちの少なくとも１つを有する基板に搭載されている、請求項１に記載のシステム。
【請求項７】
前記表面が、組織、布地、植物、工芸品、紙、木材、工具、または設備の一部である、請求項６に記載のシステム。
【請求項８】
前記コンフォーマルセンサ装置が、前記少なくとも１個のセンサ素子を、前記コンフォーマルセンサ装置の少なくとも１個の他の要素に電気的に接続するための少なくとも１個の伸縮性相互接続部を更に含む、請求項１に記載のシステム。
【請求項９】
前記少なくとも１個の他の要素が、電池、送信器、トランシーバ、増幅器、処理部、電池用の充電調整器、無線周波数要素、メモリ、およびアナログ検知ブロックのうちの少なくとも１つである、請求項８に記載のシステム。
【請求項１０】
前記通信モジュールが、データを受信する無線周波数識別（ＲＦＩＤ）対応要素を含む、請求項１に記載のシステム。
【請求項１１】
前記ＲＦＩＤ対応要素が、近接場通信（ＮＦＣ）ＲＦＩＤ対応要素および極超短波（ＵＨＦ）ＲＦＩＤ対応要素のうちの少なくとも１つである、請求項１に記載のシステム。
【請求項１２】
前記通信モジュールが、Ｂｌｕｅｔｏｏｔｈ（登録商標）技術、Ｗｉ−Ｆｉ、Ｗｉ−Ｍａｘ、ＩＥＥＥ８０２．１１技術、無線周波数（ＲＦ）通信、赤外線データ協会（ＩｒＤＡ）互換プロトコル、または共有無線アクセスプロトコル（ＳＷＡＰ）に基づく通信プロトコルを実装する、請求項１に記載のシステム。
【請求項１３】
前記解析エンジンが、前記データを較正標準と比較することにより前記データを解析する、請求項１に記載のシステム。
【請求項１４】
前記比較が、前記物体または前記人体の前記温度の指標を提供する、請求項１３に記載のシステム。
【請求項１５】
前記較正標準が、データの値と、物体または人体の計算された温度との相関を含む、請求項１４に記載のシステム。
【請求項１６】
前記プロセッサ実行可能命令が、前記データおよび前記少なくとも１個のパラメータのうちの少なくとも１つを前記少なくとも１個のメモリに保存する命令を更に含む、請求項１に記載のシステム。
【請求項１７】
前記少なくとも１個の測定値が、前記表面の前記一部に近い環境の温度の特性の定量値を含む、請求項１に記載のシステム。
【請求項１８】
物体または人体の表面に装着されたコンフォーマルセンサ装置を用いて前記物体または前記人体に危害が及ぶ潜在的リスクを監視するシステムであって、
コンフォーマルセンサ装置のセンサ素子の測定値を表すデータを受信する通信インターフェースであって、
前記測定値が表面の一部の温度の特性の定量値を含み、
前記コンフォーマルセンサ装置が前記表面の形状にほぼ沿うことで、ある程度の共形接触を行い、および
前記少なくとも１個の測定値を表す前記データが、前記共形接触の前記程度を表すデータを含む、通信インターフェースと、
プロセッサ実行可能命令を保存する少なくとも１個のメモリと、
前記少なくとも１個の通信インターフェースおよび前記少なくとも１個のメモリに通信可能に接続された少なくとも１個の処理部であって、前記プロセッサ実行可能命令を実行すると、
前記通信モジュールを用いて、第１の表面に装着された第１のコンフォーマルセンサ装置の第１のセンサ素子の第１の測定値を示す第１のデータを受信し、
前記通信モジュールを用いて、第２の表面に装着された第２のコンフォーマルセンサ装置の第２のセンサ素子の第２の測定値を示す第２のデータを受信し、
前記第１のデータを用いて、前記共形接触の第１の程度に基づいて第１の温度の第１の特性を表す第１のパラメータを計算し、
前記第２のデータを用いて、前記共形接触の第２の程度に基づいて第２の温度の第２の特性を表す第２のパラメータを計算し、
前記第１のパラメータを前記第２のパラメータと比較し、
前記第２のパラメータが前記第１のパラメータを上回る場合は第１の通知を発し、および
前記第１のパラメータおよび前記第２のパラメータのうちの少なくとも１つが所定閾値を少なくとも滞留時間ｔにわたり上回る場合は第２の通知を発する、少なくとも１個の処理部と
を含み、前記第１の警報および前記第２の警報のうちの少なくとも１つが、前記物体または人体に危害が及ぶ潜在的リスクを示す、システム。
【請求項１９】
前記第１の表面および前記第２の表面が、単一物体または人体の身体部位の異なる部分である、請求項１８に記載のシステム。
【請求項２０】
前記第１の表面および前記第２の表面が、異なる物体または人体の部分である、請求項１８に記載のシステム。
【請求項２１】
前記滞留時間ｔが、約３分、約５分、約８分、または約１０分である、請求項１８に記載のシステム。
【請求項２２】
前記少なくとも１個の処理部が更に、前記第１のデータ、前記第２のデータ、前記第１のパラメータ、および前記第２のパラメータのうちの少なくとも１つを前記少なくとも１個のメモリに保存する、請求項１８に記載のシステム。
【請求項２３】
更にディスプレイを含み、前記少なくとも１個の処理部が、前記ディスプレイを用いて、前記第１のデータ、前記第２のデータ、前記第１のパラメータ、および前記第２のパラメータのうちの少なくとも１つを表示する、請求項１８に記載のシステム。
【請求項２４】
前記少なくとも１個のプロセッサが、前記第１のデータおよび前記第２のデータのうちの少なくとも１つを少なくとも１個の較正標準と比較することにより、前記第１のデータおよび前記第２のデータのうちの少なくとも１つを解析する、請求項１８に記載のシステム。
【請求項２５】
前記比較が、前記物体または前記人体の前記温度の指標を提供する、請求項２４に記載のシステム。
【請求項２６】
前記較正標準が、データの値と、物体または人体の計算された温度との相関を含む、請求項２５に記載のシステム。
【請求項２７】
前記測定値が、前記表面の前記一部に近い環境の温度の特性の定量値を含む、請求項１８に記載のシステム。
【請求項２８】
プロセッサ実行可能命令を表すコードをコード化されて有する少なくとも１個の非一時的コンピュータ可読媒体であって、前記プロセッサ実行可能命令が、１個以上の処理部により実行された場合、物体または人体の表面の一部に装着されたコンフォーマルセンサ装置を用いて前記物体または前記人体の特性を監視する方法を実行する命令を含み、前記方法が、
通信インターフェースを用いて、コンフォーマルセンサ装置のセンサ素子の測定値を表すデータを受信するステップであって、
前記測定値が前記表面の前記一部の温度の特性の定量値を含み、
前記コンフォーマルセンサ装置が前記表面の形状にほぼ沿うことで、ある程度の共形接触を行い、および
前記少なくとも１個の測定値を表す前記データが前記共形接触の前記程度を表すデータを含む、ステップと、
前記処理部を用いて、前記共形接触の前記程度に基づいて、前記温度の前記特性を表す少なくとも１個のパラメータを生成するために前記少なくとも１個の測定値を表す前記データを解析するステップと、
前記処理部を用いて、前記温度の前記特性を表す少なくとも１個のパラメータを所定閾値と比較するステップと、
通知要素を用いて、
前記温度の前記特性を表す前記少なくとも１個のパラメータが前記所定閾値を上回る場合は時点Ｔ１で第１の警報を発し、および
前記温度の前記特性を表す前記少なくとも１個のパラメータが前記所定閾値を下回り、且つ、その後少なくとも滞留時間ｔにわたり前記所定閾値を上回る場合はＴ１よりも後の時点Ｔ２で第２の警報を発するステップと
を含み、前記第２の警報が前記物体または人体に危害が及ぶ潜在的リスクを示す、方法。
【請求項２９】
少なくとも１個の物体または人体の表面の一部に装着されたコンフォーマルセンサ装置を用いて環境条件を調整するシステムであって、
プロセッサ実行可能命令を保存する少なくとも１個のメモリと、
前記少なくとも１個のメモリにアクセスして前記プロセッサ実行可能命令を実行する処理部と
を含み、前記プロセッサ実行可能命令が、
前記コンフォーマルセンサ装置の少なくとも１個のセンサ素子の少なくとも１個の測定値を表すデータを受信する通信モジュールであって、
前記少なくとも１個の測定値が、前記表面の前記一部の温度の特性の定量値を含み、
前記コンフォーマルセンサ装置が前記表面の形状にほぼ沿うことで、ある程度の共形接触を行い、および
前記少なくとも１個の測定値を表す前記データが、前記共形接触の前記程度を表すデータを含む、通信モジュールと、
解析エンジンであって、
少なくとも１個の測定値を表す前記データを解析し、
前記共形接触の前記程度に基づいて前記温度の前記特性を表す少なくとも１個のパラメータを生成し、および
前記温度の前記特性を表す前記少なくとも１個のパラメータを所定閾値と比較するプロセッサ実行可能命令を含む、解析エンジンと、
通知要素であって、
前記温度の前記特性を表す前記少なくとも１個のパラメータが前記所定閾値を上回る場合は環境調整システムのコントローラにコマンドを送信するように前記通信モジュールを制御するプロセッサ実行可能命令を含む、通知要素と
を含み、前記コマンドが、前記環境調整システムを起動する命令および前記環境調整システムの動作設定点を変更する命令のうちの少なくとも１つを含む、システム。
【請求項３０】
前記環境調整システムが、暖房、換気および空調（ＨＶＡＣ）システム、中央空調システム、空調装置、ならびに冷却器のうちの少なくとも１つを含む、請求項２９に記載のシステム。
【請求項３１】
前記コマンドが、前記動作設定点を時間の関数として変更する命令を含む、請求項２９に記載のシステム。
【請求項３２】
前記コントローラがサーモスタットを含む、請求項２９に記載のシステム。
【請求項３３】
識別情報を提供する識別システムを更に含み、前記少なくとも１個の物体または人体が、第１の物体または人体と第２の物体または人体とを含み、前記第１の物体または人体に関連付けられた第１の識別情報が、前記第２の物体または人体に関連付けられた第２の識別情報と異なる、請求項２９に記載のシステム。
【請求項３４】
前記識別システムが無線周波数識別システムである、請求項３３に記載のシステム。
【請求項３５】
前記第１の物体または人体が第１の所定閾値に関連付けられ、前記第２の物体または人体が第２の所定閾値に関連付けられ、前記コントローラに対する前記コマンドが、前記環境調整システムの前記動作設定点を平均化された設定点に変更する命令を含み、前記平均化された設定点が、前記第１の所定閾値の値および前記第２の所定閾値の値に基づいて決定される、請求項３３に記載のシステム。
【請求項３６】
前記所定閾値がユーザーまたはエネルギー供給元により指定される、請求項２９に記載のシステム。
【請求項３７】
前記所定閾値が気象データに基づいて決定される、請求項２９に記載のシステム。
【請求項３８】
少なくとも１個の物体または人体の表面の一部に装着されたコンフォーマルセンサ装置を用いて環境条件を調整するシステムであって、
プロセッサ実行可能命令を保存する少なくとも１個のメモリと、
前記少なくとも１個のメモリにアクセスして前記プロセッサ実行可能命令を実行する処理部と
を含み、前記プロセッサ実行可能命令が、
前記コンフォーマルセンサ装置の少なくとも１個のセンサ素子の少なくとも１個の測定値を表すデータを受信する通信モジュールであって、
前記少なくとも１個の測定値が、前記表面の前記一部の温度の特性の定量値を含み、
前記コンフォーマルセンサ装置が前記表面の形状にほぼ沿うことで、ある程度の共形接触を行い、および
前記少なくとも１個の測定値を表す前記データが、前記共形接触の前記程度を表すデータを含む、通信モジュールと、
解析エンジンであって、
前記少なくとも１個の測定値を表す前記データを解析し、
前記共形接触の前記程度に基づいて前記温度の前記特性を表す少なくとも１個のパラメータを生成し、および
前記温度の前記特性を表す前記少なくとも１個のパラメータを所定閾値と比較するプロセッサ実行可能命令を含む、解析エンジンと、
通知要素であって、
前記温度の前記特性を表す前記少なくとも１個のパラメータが前記所定閾値を上回り、且つ
前記少なくとも１個の物体または人体が前記コントローラの指定領域内に存在する場合は環境調整システムの少なくとも１個のコントローラにコマンドを送信するように前記通信モジュールを制御するプロセッサ実行可能命令を含む、通知要素と
を含み、前記コマンドが、前記環境調整システムを起動する命令および前記環境調整システムの動作設定点を変更する命令のうちの少なくとも１つを含む、システム。
【請求項３９】
前記少なくとも１個の物体または人体に関連付けられた位置情報を提供する全地球測位システム（ＧＰＳ）を更に含む、請求項３８に記載のシステム。
【請求項４０】
前記指定領域が指定距離であり、前記プロセッサ実行可能命令が、前記少なくとも１個の物体または人体が前記指定領域内に存在するか否かを判定するために前記位置情報を前記指定距離と比較する命令を含む、請求項３８に記載のシステム。
【請求項４１】
前記指定領域が、交通速度を表すデータに基づいて計算される、請求項３８に記載のシステム。
【請求項４２】
前記環境管理システムが、暖房、換気および空調（ＨＶＡＣ）システム、中央空調システム、空調装置、ならびに冷却器のうちの少なくとも１つを含む、請求項３８に記載のシステム。
【請求項４３】
前記コマンドが、前記動作設定点を時間の関数として変更する命令を含む、請求項３８に記載のシステム。
【請求項４４】
前記コントローラがサーモスタットを含む、請求項３８に記載のシステム。
【請求項４５】
識別情報を提供する識別システムを更に含み、前記少なくとも１個の物体または人体が、第１の物体または人体と第２の物体または人体とを含み、前記第１の物体または人体に関連付けられた第１の識別情報が、前記第２の物体または人体に関連付けられた第２の識別情報と異なる、請求項３８に記載のシステム。
【請求項４６】
前記識別システムが無線周波数対応識別システムである、請求項４５に記載のシステム。
【請求項４７】
前記環境調整システムの前記少なくとも１個のコントローラから信号を受信し、および
前記解析エンジンを用いて、前記信号の解析および前記少なくとも１個のコントローラの既知の位置に基づいて前記少なくとも１個の物体または人体に関連付けられた位置情報を計算するプロセッサ実行可能命令を更に含む、請求項４５に記載のシステム。
【請求項４８】
前記位置情報および前記識別情報を前記少なくとも１個のコントローラに送信するプロセッサ実行可能命令を更に含む、請求項４７に記載のシステム。
【発明の詳細な説明】
【技術分野】
【０００１】
関連出願の相互参照
本出願は、２０１３年８月５日に出願された「ＦＬＥＸＩＢＬＥ  ＴＥＭＰＥＲＡＴＵＲＥ  ＳＥＮＳＯＲ  ＩＮＣＬＵＤＩＮＧ  ＣＯＮＦＯＲＭＡＢＬＥ  ＥＬＥＣＴＲＯＮＩＣＳ」という名称の米国仮特許出願第６１／８６２，４４８号明細書に対する優先権を主張し、その全体が参照により本明細書に援用される。
【背景技術】
【０００２】
体温測定は、個人の健康状態を監視するのに有用であり得る。例えば、高い体温は、発熱状態、運動、スポーツ競技、またはその他の身体的活動時の過度の努力、あるいは極端な環境条件（暑い車内を含む）を示す場合がある。他の例において、体温の低下は低体温症を示す場合がある。
【発明の概要】
【発明が解決しようとする課題】
【０００３】
そのような用途での電子機器の利用は、電子機器が過度に角張っているか、または硬い場合に阻害される恐れがある。角張っていて硬い電子機器は、より柔軟で、よりしなやかで、且つ湾曲した生物組織の測定に影響を及ぼす恐れがある。
【課題を解決するための手段】
【０００４】
上記の観点から、物体または人体の温度を監視するシステムおよび方法を提供する。本明細書に開示するシステムおよび方法は、温度を表す値の測定に利用できる。いくつかの実装形態において、本システムは、皮膚、衣服、または保護用具に装着して、但しこれに限定されない方法で物体または人体に直接接続可能なコンフォーマル電子機器に組み込むことができる。本システムは、センサ測定からのデータを解析するコンピューティング装置上のアプリケーションを提供する。
【０００５】
本明細書の例示的システム、方法、装置、および機器は、物体または人体の表面の一部に装着されたコンフォーマルセンサ装置を用いて物体または人体の特性の監視を可能にする。本システムは、プロセッサ実行可能命令を保存する少なくとも１個のメモリと、少なくとも１個のメモリにアクセスしてプロセッサ実行可能命令を実行する処理部とを含んでいる。プロセッサ実行可能命令は、コンフォーマルセンサ装置、解析エンジン、および通知要素の少なくとも１個のセンサ素子の少なくとも１個の測定値を表すデータを受信する通信モジュールを含んでいる。少なくとも１個の測定値は、表面の一部の温度の特性の定量値を含んでいる。コンフォーマルセンサ装置は表面の形状にほぼ沿うことで、ある程度の共形接触を行い、少なくとも１個の測定値を表すデータは共形接触の程度を表すデータを含んでいる。解析エンジンは、少なくとも１個の測定値を表すデータを解析し、共形接触の程度に基づいて温度の特性を表す少なくとも１個のパラメータを生成し、および温度の特性を表す少なくとも１個のパラメータを所定閾値と比較するプロセッサ実行可能命令を含んでいる。Ｔ通知要素は、温度の特性を表す少なくとも１個のパラメータが所定閾値を上回る場合は時点Ｔ１で第１の警報を発し、および温度の特性を表す少なくとも１個のパラメータが所定閾値を下回り、且つ、その後少なくとも滞留時間ｔにわたり所定閾値を上回る場合はＴ１よりも後の時点Ｔ２で第２の警報を発するプロセッサ実行可能命令を含んでいる。第２の警報は、物体または人体に危害が及ぶ潜在的リスクを示す。
【０００６】
本明細書の例示的システム、方法、装置、および機器はまた、物体または人体の表面の一部に装着されたコンフォーマルセンサ装置を用いて、物体または人体に危害が及ぶ潜在的リスクの監視を可能にする。本システムは、コンフォーマルセンサ装置のセンサ素子の測定値を表すデータを受信する通信インターフェースと、プロセッサ実行可能命令を保存する少なくとも１個のメモリと、少なくとも１個のメモリにアクセスしてプロセッサ実行可能命令を実行する処理部とを含んでいる。少なくとも１個の測定値は、表面の一部の温度の特性の定量値を含んでいる。コンフォーマルセンサ装置が表面の形状にほぼ沿うことで、ある程度の共形接触を行い、少なくとも１個の測定値を表すデータは、共形接触の程度を表すデータを含んでいる。プロセッサ実行可能命令を実行すると、少なくとも１個の処理部は、通信モジュールを用いて、第１の表面に装着された第１のコンフォーマルセンサ装置の第１のセンサ素子の第１の測定値を示す第１のデータを受信し、通信モジュールを用いて、第２の表面に装着された第２のコンフォーマルセンサ装置の第２のセンサ素子の第２の測定値を示す第２のデータを受信する。少なくとも１個の処理部は、第１のデータを用いて、共形接触の第１の程度に基づいて第１の温度の第１の特性を表す第１のパラメータを計算し、第２のデータを用いて、共形接触の第２の程度に基づいて第２の温度の第２の特性を表す第２のパラメータを計算して、第１のパラメータを第２のパラメータと比較する。少なくとも１個の処理部はまた、第２のパラメータが第１のパラメータを上回る場合は第１の通知を発し、第１のパラメータおよび第２のパラメータのうちの少なくとも１つが所定閾値を少なくとも滞留時間ｔにわたり上回る場合は第２の通知を発する。第１の警報および／または第２の警報が、物体または人体に危害が及ぶ潜在的リスクを示す。
【０００７】
本明細書の例示的システム、方法、装置、および機器は、少なくとも１個の物体または人体の表面の一部に装着されたコンフォーマルセンサ装置を用いる環境条件の調整に利用できる。本システムは、プロセッサ実行可能命令を保存する少なくとも１個のメモリと、少なくとも１個のメモリにアクセスしてプロセッサ実行可能命令を実行する処理部とを含んでいる。プロセッサ実行可能命令は、コンフォーマルセンサ装置の少なくとも１個のセンサ素子の少なくとも１個の測定値を表すデータを受信する通信モジュールと、解析エンジンと、通知要素とを含んでいる。少なくとも１個の測定値は、表面の一部の温度の特性の定量値を含んでいる。コンフォーマルセンサ装置が表面の形状にほぼ沿うことで、ある程度の共形接触を行い、および少なくとも１個の測定値を表すデータは、共形接触の程度を表すデータを含んでいる。解析エンジンは、少なくとも１個の測定値を表すデータを解析し、共形接触の程度に基づいて温度の特性を表す少なくとも１個のパラメータを生成し、および温度の特性を表す少なくとも１個のパラメータを所定閾値と比較するプロセッサ実行可能命令を含んでいる。通知要素は、温度の特性を表す少なくとも１個のパラメータが所定閾値を上回る場合は環境調整システムのコントローラにコマンドを送信するように通信モジュールを制御するプロセッサ実行可能命令を含んでいる。コマンドは、環境調整システムを起動する、および／または環境調整システムの動作設定点を変更する命令を含んでいる。
【０００８】
本明細書に記述する例示的システム、方法、装置、および機器はまた、少なくとも１個の物体または人体の表面の一部に装着されたコンフォーマルセンサ装置を用いる環境条件の調整に利用できる。本システムは、プロセッサ実行可能命令を保存する少なくとも１個のメモリと、少なくとも１個のメモリにアクセスしてプロセッサ実行可能命令を実行する処理部とを含んでいる。プロセッサ実行可能命令は、コンフォーマルセンサ装置の少なくとも１個のセンサ素子の少なくとも１個の測定値を表すデータを受信する通信モジュールと、解析エンジンと、通知要素とを含んでいる。少なくとも１個の測定値は、表面の一部の温度の特性の定量値を含んでいる。コンフォーマルセンサ装置が表面の形状にほぼ沿うことで、ある程度の共形接触を行い、および少なくとも１個の測定値を表すデータは、共形接触の程度を表すデータを含んでいる。
【０００９】
解析エンジンは、少なくとも１個の測定値を表すデータを解析し、共形接触の程度に基づいて温度の特性を表す少なくとも１個のパラメータを生成し、および温度の特性を表す少なくとも１個のパラメータを所定閾値と比較するプロセッサ実行可能命令を含んでいる。
【００１０】
通知要素は、温度の特性を表す少なくとも１個のパラメータが所定閾値を上回り、且つ少なくとも１個の物体または人体がコントローラの指定領域内に存在する場合は環境調整システムの少なくとも１個のコントローラにコマンドを送信するように通信モジュールを制御するプロセッサ実行可能命令を含んでいる。コマンドは、環境調整システムを起動する、および／または環境調整システムの動作設定点を変更する命令を含んでいる。
【００１１】
以下の刊行物、特許、および特許出願の全体を参照により本明細書に援用する。
２００９年３月５日に出願され、２０１０年１月７日公開された「ＳＴＲＥＴＣＨＡＢＬＥ  ＡＮＤ  ＦＯＬＤＡＢＬＥ  ＥＬＥＣＴＲＯＮＩＣ  ＤＥＶＩＣＥＳ」という名称の米国特許出願公開第２０１０−０００２４０２−Ａ１号明細書。
【００１２】
２００９年１０月７日に出願され、２０１０年４月８日に公開された「ＣＡＴＨＥＴＥＲ  ＢＡＬＬＯＯＮ  ＨＡＶＩＮＧ  ＳＴＲＥＴＣＨＡＢＬＥ  ＩＮＴＥＧＲＡＴＥＤ  ＣＩＲＣＵＩＴＲＹ  ＡＮＤ  ＳＥＮＳＯＲ  ＡＲＲＡＹ」という名称の米国特許出願公開第２０１０−００８７７８２−Ａ１号明細書。
【００１３】
２００９年１１月１２日に出願され、２０１０年５月１３日に公開された「ＥＸＴＲＥＭＥＬＹ  ＳＴＲＥＴＣＨＡＢＬＥ  ＥＬＥＣＴＲＯＮＩＣＳ」という名称の米国特許出願公開第２０１０−０１１６５２６−Ａ１号明細書。
【００１４】
２０１０年１月１２日に出願され、２０１０年７月１５日に公開された「ＭＥＴＨＯＤＳ  ＡＮＤ  ＡＰＰＬＩＣＡＴＩＯＮＳ  ＯＦ  ＮＯＮ−ＰＬＡＮＡＲ  ＩＭＡＧＩＮＧ  ＡＲＲＡＹＳ」という名称の米国特許出願公開第２０１０−０１７８７２２−Ａ１号明細書。
【００１５】
２０１１年７月１４日に公開された「Ｍｅｔｈｏｄｓ  ａｎｄ  Ａｐｐａｒａｔｕｓ  ｆｏｒ  Ｃｏｎｆｏｒｍａｌ  Ｓｅｎｓｉｎｇ  ｏｆ  Ｆｏｒｃｅ  ａｎｄ／ｏｒ  Ｃｈａｎｇｅ  ｉｎ  Ｍｏｔｉｏｎ」という名称のＰＣＴ特許出願公開国際公開第２０１１／０８４７０９号パンフレット。
【００１６】
２０１０年３月１２日に出願され、２０１１年２月１０日に公開された「ＳＹＳＴＥＭＳ，ＭＥＴＨＯＤＳ，ＡＮＤ  ＤＥＶＩＣＥＳ  ＨＡＶＩＮＧ  ＳＴＲＥＴＣＨＡＢＬＥ  ＩＮＴＥＧＲＡＴＥＤ  ＣＩＲＣＵＩＴＲＹ  ＦＯＲ  ＳＥＮＳＩＮＧ  ＡＮＤ  ＤＥＬＩＶＥＲＩＮＧ  ＴＨＥＲＡＰＹ」という名称の米国特許出願公開第２０１１−００３４９１２−Ａ１号明細書。
【００１７】
２０１４年１月８日に出願された「ＡＰＰＬＩＣＡＴＩＯＮ  ＦＯＲ  ＭＯＮＩＴＯＲＩＮＧ  Ａ  ＰＲＯＰＥＲＴＹ  ＯＦ  Ａ  ＳＵＲＦＡＣＥ」という名称のＰＣＴ特許出願ＰＣＴ／米国特許出願第１４／１０７４０号明細書。
【００１８】
上述の概念および以下に更に詳細に述べる追加的な概念の全ての組み合わせは（そのような概念が互いに矛盾しない前提で）、本明細書に開示する主題の一部をなすものと理解されたい。特に、本開示の末尾に掲載する請求項の全ての組み合わせは、本明細書に開示する主題の一部をなすものとする。また、本明細書で明示的に用いると共に、参照により援用される任意の開示にも出現する用語について、本明細書に開示する特定の概念と最も良く整合する意味を有しているものと理解されたい。
【００１９】
本教示の上述および他の態様、例、ならびに特徴は、添付の図面と合わせて以下の説明からより詳細に理解されよう。
当業者には、本明細書に掲載する図面が説明目的に過ぎないことは理解されよう。いくつかの例において、記述する実装形態の理解を容易にすべく、記述する実装形態の各種態様が誇張または拡大して示され得ることを理解されたい。各種図面を通じて、同一参照符号は一般に、同一の特徴、機能的に類似および／または構造的に類似した要素を指す。各図面は、開示する原理の図解を主眼として必ずしも同一の縮尺で描かれている訳ではない。各図面は、本教示の範囲を一切限定するものではない。本システムおよび方法は、以下の図面を参照して以下の説明的記述からより良く理解されよう。
【図面の簡単な説明】
【００２０】
【図１Ａ】本明細書に記述する原理による例示的システムのブロック図を示す。
【図１Ｂ】本明細書に記述する原理による、蛇行的相互接続部（（ｉ）、（ｉｉ））、犂耕体状相互接続部（ｉｉｉ）、ジグザグ相互接続部（ｉｖ）、およびポップアップ相互接続部（ｖ）の例を示す。
【図２】本明細書に記述する原理による例示的コンフォーマルセンサ装置のブロック図を示す。
【図３】本明細書に記述する原理による例示的装置を示す。
【図４】本明細書に記述する原理による、監視対象となり得る人体の特性の例を示す。
【図５】本明細書に記述する原理による例示的パッチを示す。
【図６】本明細書に記述する原理による例示的コンピュータのブロック図を示す。
【図７】本明細書に記述する原理による例示的コンピュータシステムのアーキテクチャを示す。
【図８Ａ】本明細書に記述する原理による例示的方法のフローチャートを示す。
【図８Ｂ】本明細書に記述する原理による、別の例示的方法のフローチャートを示す。
【図８Ｃ】本明細書に記述する原理による、別の例示的方法のフローチャートを示す。
【図８Ｄ】本明細書に記述する原理による、別の例示的方法のフローチャートを示す。
【図８Ｅ】本明細書に記述する原理による、別の例示的方法のフローチャートを示す。
【図９Ａ】本明細書に記述する原理による例示的コンフォーマルセンサ装置および付随する周辺機器を含む例示的システムの構成要素を示す。
【図９Ｂ】本明細書に記述する原理による例示的コンフォーマルセンサ装置および付随する周辺機器を含む例示的システムの構成要素を示す。
【図９Ｃ】本明細書に記述する原理による例示的コンフォーマルセンサ装置および付随する周辺機器を含む例示的システムの構成要素を示す。
【図９Ｄ】本明細書に記述する原理による例示的コンフォーマルセンサ装置および付随する周辺機器を含む例示的システムの構成要素を示す。
【図１０Ａ】本明細書に記述する原理による、コンフォーマルセンサ装置の分解等角図および組立図を示す。
【図１０Ｂ】本明細書に記述する原理による、コンフォーマルセンサ装置の分解等角図および組立図を示す。
【図１１】本明細書に記述する原理による例示的接着パネルの分解図を示す。
【図１２】本明細書に記述する原理による例示的充電器の側面図を示す。
【図１３】本明細書に記述する原理による、コンフォーマルセンサ装置ベースに接続可能な例示的封入筐体を示す。
【図１４Ａ】本明細書に記述する原理による例示的コントローラを示す。
【図１４Ｂ】本明細書に記述する原理による例示的コントローラを示す。
【発明を実施するための形態】
【００２１】
以下により詳細に記述する概念の全ての組み合わせは（そのような概念が互いに矛盾しない前提で）、本明細書に開示する発明の主題の一部をなすものと理解されたい。また、本明細書で明示的に用いると共に、参照により援用される任意の開示にも出現する用語について、本明細書に開示する特定の概念と最も良く整合する意味を有しているものと理解されたい。
【００２２】
以下は、物体または人体の表面の一部に装着されたコンフォーマルセンサ装置を用いて物体または人体の一部の特性を監視する本発明の方法、装置、およびシステムに関連する各種の概念、およびそれらの実施形態のより詳細な説明である。上で紹介し、以下により詳細に記述する各種の概念は、開示する概念がいかなる特定の実施方法にも限定されないため、多く方法のいずれでも実施可能である点を理解されたい。特定の実施および用途の例は主として説明目的で提示するものである。
【００２３】
本明細書で用いる用語「含む」は含むことを意味するがこれに限定されず、「含んでいる」は含んでいることを意味するがこれに限定されない。用語「基づいて」は少なくとも部分的に基づいていることを意味する。
【００２４】
各種の例との関連において本明細書に記述する基板またはその他の表面に関して、「最上」面および「底」面への言及は主として、各種要素／要素の基板に対する、および相互の相対位置、並びおよび／または向きを示すために用いられており、これらの用語は必ずしも何らかの特定の座標系（例えば重力座標系）を指す訳ではない。従って、基板または層の「底」への言及は、指示された表面または層が必ずしも地面に対向している必要はない。同様に、「〜の上面に」、「〜の下に」、「〜の上方に」、「〜の下側に」等は必ずしも重力座標系等、何らかの特定の座標系を指す訳ではなく、むしろ主として各種要素／要素の基板（またはその他の面）に対する、および相互の相対的位置、並びおよび／または向きを示すために用いられている。用語「〜の上に装着」および「〜の上面に装着」は、「〜に埋込まれた」の意味を包含し、「部分的に埋込まれた」も含んでいる。また、特徴Ａが特徴Ｂの「上に装着」、「間に装着」、または「上面に装着」されているとの言及は、特徴Ａが特徴Ｂと接触している例、および特徴Ａと特徴Ｂの間に他の層および／または他の要素が置かれている例をも含んでいる。
【００２５】
本開示は、物体または人体の表面の一部に装着されたコンフォーマルセンサ装置を用いる物体または人体の特性監視に利用するシステム、方法、および装置に関する。コンフォーマルセンサ装置は、測定を実行する少なくとも１個のセンサ素子を含んでいる。測定値を用いて、表面の一部の温度を表すデータを提供できる。コンフォーマルセンサ装置は、物体または人体の表面の形状にほぼ沿うように構成されている。測定値は、共形接触の程度の指標を含んでいる。例えば、接触の程度は、物体または人体の表面の一部と接触しているコンフォーマルセンサ装置の表面積の百分率として定量化できる。別の例において、接触の程度は、コンフォーマルセンサ装置の表面の一部の、物体または人体の表面との近接度の定量値のマップ（例えば空間マップ等、但しこれに限定されない）として定量化できる。
【００２６】
いずれの実装形態例でも、コンフォーマルセンサ装置は、表面の一部の、共形接触、および／または温度的特性の程度の空間マッピングを提供するセンサ素子の空間的に分散されたアレイを含んでいてよい。
【００２７】
少なくとも１個のセンサ素子の測定値は、表面の特性を表す少なくとも１個のパラメータを提供すべく解析可能なデータを提供する。本明細書に記述する原理による例示的システム、方法、および装置は、共形接触の程度に基づいて、物体または人体の一部の温度の特性を表す少なくとも１個のパラメータを生成すべく測定値からのデータを解析する解析エンジンを含んでいる。本明細書に記述する例示的システム、方法、または装置のいずれかを用いて監視される温度の特性は、温度の高さ、監視対象の表面全体にわたる温度の空間勾配、および時間に伴う温度の変化率のうちの少なくとも１つであってよい。解析エンジンはまた、計算されたパラメータを所定閾値と比較すべく構成可能である。所定閾値は、監視対象である温度等の条件に基づいて決定されてよい。
【００２８】
本明細書に記述する例示的システム、方法、装置、および機器のいずれにおいても、コンフォーマルセンサ装置が装着される人体は、人間の被験者および／または被験者の身体の一部であってよい。いくつかの実装形態例において、コンフォーマルセンサ装置を装着する人体は、被験者の頭部、腕、足、胸、腹部および／または肩であってよい。
【００２９】
本明細書に記述する例示的システム、方法、装置、および機器のいずれにおいても、コンフォーマルセンサ装置を装着する物体は無生物、例えば果物、野菜またはその他の作物、肉、家禽、酪農、チーズ、イースト、共生菌、薬瓶、生物製剤またはその他の薬物であってよいが、これらに限定されない。物体は、犬、猫、鳥等を含むペット、または馬、牛、羊等を含む家畜であってよいが、これらに限定されない。一実装形態例において、物体は、サラブレッド馬、犬等の競争用動物であってよいが、これらに限定されない。
【００３０】
一実装形態例において、コンフォーマルセンサ装置を用いて、物体または人体に危害が及ぶ潜在的リスクを監視できる。非限定的な例として、潜在的危害には火、発熱、熱疲労リスク、熱射病またはその他の種類の過熱状態（例えば、暑い自動車、トラックまたはその他の密室内）、運動前のウォームアップ不足、有害なレベルの運動、低体温症、その他の危険であるかまたは望ましくない健康被害または危険な身体状態が含まれる。所定閾値は、危害の潜在的リスクを表す少なくとも１個のパラメータの値として決定されてよい。非限定的な例として、所定閾値は、顕著な高熱、すなわち約１００．４Ｆ（３８．０Ｃ）を指す体温であってよい。別の例として、約１０２Ｆの所定閾値が、熱疲労、熱射病またはその他の過熱状態のリスクの指標として設定可能である。別の例として、３５．０℃（９５．０°Ｆ）未満の所定閾値が、低体温症の潜在的リスクの指標として設定可能である。
【００３１】
別の実装形態例において、コンフォーマルセンサ装置を用いて環境条件を調整できる。本明細書に記述するように、物体または人体に装着または別途接続されたコンフォーマルセンサ装置からの測定値を解析し、解析に基づいて、環境条件を調整する命令を環境調整システムのコントローラに送信できる。例示的コントローラは、サーモスタット、中央コントローラ、端末装置コントローラ、または建物自動化システムであってよいが、これらに限定されない。非限定的な例として、環境調整システムは、暖房、換気および空調（ＨＶＡＣ）システム、中央空調システム、空調装置、ならびに冷却器のうちの少なくとも１つを含んでいてよい。所定閾値は、環境の所望の温度および／または環境の所望の湿度等、但しこれらに限定されない監視対象の環境条件に基づいて設定可能である。環境は、住宅、アパート、またはオフィスビル、但しこれらに限定されない場所における少なくとも１個の部屋であってよい。いずれの例でも、所定閾値は、ユーザーまたはエネルギー供給元により指定されていてよい。
【００３２】
環境調整システムのコントローラに対する命令に基づいて、環境調整システムへのデジタル入力および／またはアナログ入力を変更できる。非限定的な例として、アナログ入力は、可変検知装置からの電圧信号または電流信号であってよい。一例において、デジタル信号は、環境調整システムの要素の始動および／または停止に用いるリレー接触であってよい。一例において、アナログ信号は、媒体（空気、水、または蒸気等、但しこれらに限定されない）を調整する環境調整システム（弁、ダンパー、またはモーター等、但しこれらに限定されない）の要素の移動を制御する電圧または電流信号であってよい。一例において、命令はデジタル制御プログラムコードとして送信されてよい。
【００３３】
一実装形態例において、環境条件は音（音楽、ビデオまたはその他の聴取可能なもの）のレベルであってよい。送信された命令は、コンフォーマルセンサ装置の心拍数および／または脈拍数センサ素子の測定値に基づいて音声レベルを下げさせることができる。命令は、コンフォーマルセンサ装置の測定値に基づいて、音声機器のコントローラにボリュームを下げさせるか、または音楽、ビデオまたはその他の音声条件の種類を変えさせることができる。
【００３４】
任意の実装形態例において、２個の物体または人体に各々異なる所定閾値が関連付けられていてよい。従って、本明細書で実行するあらゆる解析において、一方の物体または人体について計算されたパラメータを、他方の物体または人体に用いる第２の所定閾値と異なる第１の所定閾値と比較できる。そのような実装形態例のいずれにおいても、コンフォーマルセンサ装置はまた、接続された物体または人体に関する情報を識別する識別（ＩＤ）要素を含んでいてよい。本明細書の方法のいずれを実行する場合も、各ＩＤ要素の識別情報を用いて、解析中に行う比較にどの所定閾値を用いるかを判定できる。識別要素は、無線周波数識別（ＲＦＩＤ）要素であってよいが、これに限定されない。
【００３５】
例えば、コンフォーマルセンサ装置は、人のグループ（家族の構成員、オフィスビルの居住者、ウォームアップ中または試合中の運動競技チームのメンバー、但しこれらに限定されない）の各個人の身体の一部に装着されていてよい。各個人のコンフォーマルセンサ装置は、個人を識別するＩＤ要素を含んでいてよい。本明細書に記述する任意の方法の実行に際して、例示的システムは、グループのどの個人が部屋またはその他のスペースを占有しているかの判定、ＩＤ要素の識別情報に基づく比較に用いる所定閾値の判定、および比較に基づいて取るべきアクションの種類の判定を行うことができる。非限定的な例として、（本明細書に記述するような）物体または人体に危害が及ぶ潜在的リスクに関して送信する警告はまた、各々の物体または人体の位置に関する情報を含み得る識別情報を含んでいてよい。例えば、警告は、グループのどの個人が潜在的リスク（例えば、発熱、火事またはその他の緊急事態への近さ、不適切な運動ウォームアップ、または試合中の運動に起因する）、および個人の位置を示すことができる。一例において、物体または人体の属性および位置に関する情報は、（例えば、物体または人体あるいは任意の第３者の側で何らのアクションを起こす必要なしに、火事またはその他の緊急事態の発生時に家族またはオフィスビルの居住者の居場所を特定するために）緊急事態サービスに送信できる。
【００３６】
非限定的な例として、位置情報は、物体または人体に関連付けられた全地球測位システム（ＧＰＳ）を用いて提供できる。
非限定的な例として、位置情報は既知の位置に置かれたＲＦＩＤリーダーを用いて提供できる。各ＲＦＩＤリーダーに対して、通信距離は、所与のＲＦＩＤリーダーに対する通信信号を登録するには小さ過ぎる距離として定義できる。物体または人体の位置情報は、各ＲＦＩＤリーダーまでの既知の通信距離および既知のＲＦＩＤリーダー位置に基づいて、各々の既知ＲＦＩＤリーダーに相対的な位置に基づいて計算できる。
【００３７】
別の例において、ＩＤ要素は、建物内におけるグループの各構成員の位置を特定すべく利用可能な位置情報を含んでいてよい。所与の位置の近傍に存在する識別された物体または人体の各々に関連付けられた所定閾値に基づいて、建物の所与の領域における環境条件を変更する命令を環境調整システムに送信できる。そのような命令は、ユーザーまたはその他の個人からの入力を一切必要とせずに送信できる。環境調整システムのコントローラに送信された命令は、特定の位置に存在する物体または人体の属性および異なる所定閾値に基づいて、環境条件を設定点の平均化された値に収束させるものであってよい。その結果、建物の空き領域では環境調整システムを停止させておくかまたは最低動作設定で動作させる一方、他の領域では環境調整システムを異なる設定点で動作させることができる。
【００３８】
別の実装形態例において、システム、方法、または装置は、特定の種類の警報によりシステムに保護者だけでなく緊急通報システムにも通知を発行させるように構成可能である。例えば、システム、方法、または装置は、危害の潜在的リスクが差し迫っていることが解析で示された場合、保護者（両親、後見人、ホームヘルパー、および学校のスタッフまたは職員等、但しこれらに限定されない）と合わせて、初期対応機関（近隣の警察、消防署、および／または救急車を含む）に通知すべく構成可能である。非限定的な例として、過熱状態の車両内に小児または高齢者がいる徴候、あるいは人間または人間以外の動物が火の近くにいる徴候により、そのような警報を初期対応機関に送信させるようにしてもよい。
【００３９】
別の実装形態例において、ＩＤ要素を有するコンフォーマルセンサ装置は、位置が既知であるスマート家電および／または電子機器との通信を介して位置情報を提供すべく構成可能である。個人は、自身の位置（すなわちどの部屋にいるか）を、例えば、部屋にあるスマート火災／煙探知器またはその他の電子要素への近接度により、他の個人または緊急通報システムへ伝達することができる。例えば、家庭、オフィスまたはその他の建築施設内の他の種類の器具または表面に装着されたコンフォーマルセンサ装置を用いてそのような位置情報を提供できる。また、コンフォーマルセンサ装置は、救出計画および意思決定を支援すべく、位置が特定された個人に関する主要情報、例えばすぐ近くの周囲温度等、但しこれに限定されない情報を提供できる。他の種類の生理学的測定値を提供するセンサ素子を含むコンフォーマルセンサ装置はまた、警報と合わせて物体または人体の身体状態（バイタルサイン）に関する情報を提供すべく構成可能である。
【００４０】
本明細書に記述する原理による例示的システム、方法、および装置は通知要素をも含んでいる。例示的通知要素を用いて、本明細書の例示的方法、システム、または装置による解析の実行結果として本明細書に記述する１個以上の警報および／または命令のいずれも送信できる。
【００４１】
例えば、通知要素は、解析エンジンにより実行された比較のいずれに基づいても警報を発するように構成可能である。例えば、通知要素は、計算されたパラメータが所定閾値を上回ることを比較結果が示す場合、第１の時点（Ｔ１）で第１の警報を発するように構成可能である。通知要素はまた、計算されたパラメータが所定閾値を下回り、且つ、その後少なくとも滞留期間（ｔ＞０）にわたり所定閾値を上回ることを比較結果が示す場合、より遅い第２の時点（Ｔ２）で第２の警報を発するように構成可能である。
【００４２】
滞留時間ｔはまた、監視対象の温度条件に基づいて設定されてよい。例えば、滞留時間ｔは、潜在的な健康被害を示唆する医学文献から、ある値以下に設定されることができる。各種の例において、滞留時間ｔは約３分間、約５分間、約８分間、または約１０分間であってよい。
【００４３】
一実装形態例において、第２の警報は、物体または人体に危害が及ぶ潜在的リスクを示す。例えば、第２の警報の発行は、火事、発熱、過熱状態（例えば、暑い自動車、トラックまたはその他の密室内）、不適当な運動またはその他の危険であるかまたは望ましくない健康または身体状態等、但しこれらに限定されない潜在的な健康被害または安全性リスクが存在する可能性を示すことができる。例えば、第２の警報を用いて、生体（人間の小児または成人、あるいは人間以外の動物）が、例えば自動車、トラックまたはその他の密室内等、過熱状態が生じ得る条件下にいることを示すことができる。別の例において、第２の警報を用いて、物体（ワイン、作物、または酪農製品を含む）が、例えば自動車、トラックまたはその他の密室等に入れて運搬されている間に過熱状態が生じ得る条件下にあることを示すことができる。別の例において、危害の潜在的リスクは潜在的な火災発生条件に起因し、第２の警報を用いて生体（人間の小児または成人、あるいは人間以外の動物）が火災現場の付くにいることを示すことができる。
【００４４】
別の例として、通知要素は、環境調整システムのコントローラにコマンドを送信するよう通信モジュールを制御すべく構成可能である。例えば、比較により、温度の特性を表すパラメータが所定閾値を上回ることが示される場合、環境調整システムを起動する、および／または環境調整システムの動作設定点を変更する命令を含むコマンドを送信できる。別の例として、比較により、温度の特性を表すパラメータが所定閾値を上回り、且つコンフォーマルセンサ装置に関連付けられた物体または人体がコントローラの指定領域内に存在することが示される場合、環境調整システムを起動する、および／または環境調整システムの動作設定点を変更する命令と共にコマンドを送信できる。
【００４５】
本明細書に記述する原理による例示的システムは、物体または人体の表面の一部に装着されたコンフォーマルセンサ装置を用いて物体または人体の特性を監視可能にする。例示的システムは、移動通信装置で動作するアプリケーションを用いる。そのような移動通信装置の非限定的な例として、スマートフォン、例えばｉｐｈｏｎｅ（登録商標）、ＢｌａｃｋＢｅｒｒｙ（登録商標）、Ａｎｄｒｏｉｄ（商標）を利用するスマートフォン、タブレット、スレート、電子リーダー（ｅリーダー）、電子手帳またはその他の電子リーダーまたは携帯、可搬、あるいはウェアラブルコンピュータ、他の任意の均等な装置、Ｘｂｏｘ（登録商標）、Ｗｉｉ（登録商標）またはその他のゲームシステムが含まれるが、これらに限定されない。
【００４６】
コンフォーマルセンサ装置は、移動通信装置と通信可能に接続されている。コンフォーマルセンサ装置は、例えば表面の一部の温度の測定値等、但しこれに限定されない測定値を取得する少なくとも１個のセンサ素子を含む。移動通信装置は、測定値を表すデータを受信する。移動通信装置は、物体または人体の温度等、但しこれに限定されない表面の特性を表す少なくとも１個のパラメータを決定すべくデータを解析するアプリケーションを含んでいる。
【００４７】
図１Ａに、本明細書に記述する原理による非限定的な例示的システム１００のブロック図を示す。例示的システム１００は、本明細書に記述するような測定値を提供すべく少なくとも１個のセンサ素子１０４を含む少なくとも１個のコンフォーマルセンサ装置１０２を含んでいる。例えば、測定値は、少なくとも１個のセンサ素子１０４が装着または接続された表面の一部の温度を表すデータであってよい。コンフォーマルセンサ装置１０２は、少なくとも１個の他の要素１０６を含んでいてよい。一実装形態例において、少なくとも１個の他の要素１０６は、別のセンサ素子および／または処理部であってよい。一実装形態例において、少なくとも１個の部品は、コンフォーマルセンサ装置１０２に電力を供給すべく構成可能である。例えば、少なくとも１個の他の要素１０６は、電池等、電位を供給すべく利用可能な他の任意のエネルギー貯蔵装置を含んでいてよい。
【００４８】
少なくとも１個のセンサ素子１０４は、少なくとも１個の測定を実行すべく１個以上の要素を含んでいる。少なくとも１個のセンサ素子１０４は、サーミスタ（負温度サーミスタまたは正温度サーミスタを含む）、熱電対、抵抗温度計（薄膜プラチナ抵抗温度計を含む）、半導体ベースの温度センサ（シリコンバンドギャップ温度センサまたはｐ−ｎ接合温度センサを含む）、赤外線温度センサ、化学温度センサ（例えば、比色変化に基づくもの）、または発振器の温度係数周波数応答に基づく検知（例えば、第３調波の測定に基づく）を含んでいてよい。
【００４９】
図１Ａに示すように、コンフォーマルセンサ装置１０２は、外部コンピューティング装置１０８と通信可能に接続されている。コンピューティング装置１０８の非限定的な例として、スマートフォン（ｉｐｈｏｎｅ（登録商標）、Ａｎｄｒｏｉｄ（登録商標）フォン、Ｂｌａｃｋｂｅｒｒｙ（登録商標）またはその他の種類のスマートフォン）、タブレット、スレート、電子リーダー、ゲームシステム（Ｗｉｉ（登録商標）またはＸｂｏｘ（登録商標）システムを含む）、電子手帳またはその他の携帯型情報端末、または上述の任意の移動通信装置を含む他の任意の均等な装置が含まれる。
【００５０】
例えば、コンピューティング装置１０８は、コンフォーマルセンサ装置からのデータ信号を解析する解析モジュールを含むアプリケーションを実行するように構成されたプロセッサ部を含んでいてよい。
【００５１】
一実装形態例において、コンフォーマルセンサ装置１０２は、装置から例示的コンピューティング装置１０８に信号を送信するように構成された少なくとも１個の通知要素を含んでいる。例えば、少なくとも１個の要素は、少なくとも１個のセンサ素子１０４による測定値を表すデータを含む信号を例示的コンピューティング装置１０８に送信するように構成された送信器またはトランシーバを含んでいてよい。
【００５２】
一実装形態例において、コンフォーマルセンサ装置１０２は、装置から例示的コンピューティング装置１０８に信号を送信するように構成された少なくとも１個の他の要素１０６を含んでいる。例えば、少なくとも１個の要素は、少なくとも１個のセンサ素子１０４による測定値を表すデータを含む信号を例示的コンピューティング装置１０８に送信するように構成された送信器またはトランシーバを含んでいてよい。
【００５３】
一例において、少なくとも１個の他の要素１０６は、表面の電気特性を測定するように構成されたセンサ素子を含んでいる。例えば、コンフォーマルセンサ装置１０２は、組織の水分摂取状態の定量値を提供すべく、組織の電気特性の電気容量に基づく測定を実行する追加的なセンサを含んでいてよい。
【００５４】
一例において、コンフォーマルセンサ装置は、可撓性および／または伸縮性を有する基板に搭載されている少なくとも１個のセンサを含んでいる。いくつかの例において、コンフォーマルセンサ装置は、可撓性および／または伸縮性を有する封入材料内に封入されている。本明細書に記述する原理によれば、基板および／または封入材料は、ポリイミド、ポリエステル、シリコーンまたはシロキサン（例えば、ポリジメチルシロキサン（ＰＤＭＳ））、光パターニング可能シリコーン、ＳＵ８またはその他のエポキシベースポリマー、ポリジオキサノン（ＰＤＳ）、ポリスチレン、パリレン、パリレンＮ、超高分子量ポリエチレン、ポリエーテルケトン、ポリウレタン、ポリ乳酸、ポリグリコール酸、ポリテトラフルオロエチレン、ポリアミック酸、ポリメチルアクリレートを含む各種のポリマーまたはポリマー複合材料、または圧縮可能なエアロゲル状材料、およびアモルファス半導体または誘電材料を含む他の任意の可撓性または伸縮性を有する材料のうちの１つ以上を含んでいてよい。本明細書に記述するいくつかの例において、コンフォーマルセンサ装置は、基板に搭載された、あるいは可撓性または伸縮性を有する層の間に装着された非可撓性の電子機器を含んでいてよい。別の非限定的な例において、基板および／または封入材料は、ＳＯＲＴＡＣＬＥＡＲ（登録商標）シリコーン、ＳＯＬＡＲＩＳ（登録商標）シリコーン、またはＥＣＯＦＬＥＸ（登録商標）シリコーン（以上全てがＳｍｏｏｔｈ−Ｏｎ、Ｉｎｃ．，Ｅａｓｔｏｎ，ＰＡから販売されている）等、但しこれらに限定されないシリコーンで形成されていてよい。一例において、封入層のヤング率は約１００ＭＰａ以下である。
【００５５】
図１Ａの非限定的な例に示すように、コンフォーマルセンサ装置１０２は、少なくとも１個のプロセッサ部１１０、および少なくとも１個の伸縮性相互接続部を含んでいる。図１Ａに示すように、コンフォーマルセンサ装置１０２は、少なくとも１個のセンサ素子１０４を少なくとも１個のプロセッサ部１１０に接続する少なくとも１個の伸縮性相互接続部１１２−ａ、および／また少なくとも１個のプロセッサ部１１０を少なくとも１個の他の要素１０６に接続する少なくとも１個の伸縮性相互接続部１１２−ｂを含んでいてよい。本明細書に記述するように、少なくとも１個の他の要素１０６は、電池、送信器、トランシーバ、増幅器、処理部、電池用の充電調整器、無線周波数要素、メモリ、およびアナログ検知ブロックのうちの任意の１つ以上であってよい。
【００５６】
少なくとも１個の伸縮性相互接続部１１２−ａ、１１２−ｂは、伸縮性を実現する任意の形態を有するように構成されている。図１Ｂに示すように、伸縮性相互接続部１１２−ａ、１１２−ｂは、本明細書に記述する原理によれば、蛇行的相互接続部（図１Ｂ（ｉ）または（ｉｉ））、犂耕体状相互接続部（図１Ｂ（ｉｉｉ））、ジグザグ相互接続部（図１Ｂ（ｉｖ））およびジグザグ相互接続部（図１Ｂ（ｉｖ））であってよい。各種の非限定的な例において、コンフォーマルセンサ装置１０２は、蛇行的相互接続部、ジグザグ相互接続部、凹凸相互接続部、バックル状相互接続部、螺旋形相互接続部、犂耕体状相互接続部、蛇状相互接続部、ポップアップ相互接続部、湾曲相互接続部、波状相互接続部、または伸縮性を実現する他の任意の相互接続形状のうちの１つ以上を含んでいてよい。
【００５７】
一例において、少なくとも１個の伸縮性相互接続部は、導電性材料から形成されていてよい。別の例において、伸縮性相互接続部は、導電性材料の少なくとも一部を封入する非導電性材料を含んでいてよい。一例において、伸縮性相互接続部は、コンフォーマル電子機器の要素間（例えば、装置の要素間）で、機械的安定性および／または機械的伸縮性を実現する利用可能な非導電性材料から形成されていてよい。非限定的な例として、非導電性材料はポリイミドを主体として形成されていてよい。
【００５８】
本明細書に記述する例のいずれにおいても、導電性材料（電気相互接続部および／または電気接点等、但しこれらに限定されない）は金属、金属合金、導電性ポリマーまたはその他の導電性材料であってよいが、これらに限定されない。一例において、コーティングの金属または金属合金は、アルミニウム、ステンレス鋼、または遷移金属、および炭素合金を含む任意の適用可能な金属合金を含むが、これらに限定されない。遷移金属の非限定的な例として、銅、銀、金、プラチナ、亜鉛、ニッケル、チタン、クロミウム、またはパラジウム、あるいはこれらの任意の組み合わせが含まれる。他の非限定的な例において、適当な導電性材料として、シリコンベースの導電性材料、インジウム酸化スズまたはその他の透明な導電性酸化物、または第ＩＩＩ〜ＩＶ族導体（ＧａＡｓを含む）を含む、半導体ベースの導電性材料を含んでいてよい。半導体ベースの導電性材料はドープされていてよい。
【００５９】
本明細書に記述する原理による例示的装置のいずれにおいても、非導電性材料（伸縮性相互接続部の材料等、但しこれに限定されない）は弾力性を有する任意の材料から形成されていてよい。例えば、非導電性材料は、ポリマーまたは高分子材から形成されていてよい。適用可能なポリマーまたは高分子材の非限定的な例として、ポリイミド、ポリエチレンテレフタレート（ＰＥＴ）、シリコーン、またはポリエウレタンが含まれるが、これらに限定されない。適用可能なポリマーまたは高分子材の他の非限定的な例として、プラスチック、エラストマ、熱可塑性エラストマ、弾塑性物質、サーモスタット、熱可塑性物質、アクリレート、アセタールポリマー、生分解性ポリマー、セルロースポリマー、フッ素ポリマー、ナイロン、ポリアクリロニトリルポリマー、ポリアミドイミドポリマー、ポリアリレート、ポリベンゾイミダゾール、ポリブチレン、ポリカーボネート、ポリエステル、ポリエーテルイミド、ポリエチレン、ポリエチレンコポリマーおよび変性ポリエチレン、ポリケトン、ポリ（メチルメタクリレート、ポリメチルペンテン、ポリフェニレンオキシドおよびポリフェニレンサルファイド、ポリフタルアミド、ポリプロピレン、ポリウレタン、スチレン系樹脂、スルホンベースの樹脂、ビニルベース樹脂、または上記材料の任意の組み合わせが含まれる。一例において、本明細書に記述するポリマーまたはポリマー系材料はＤＹＭＡＸ（登録商標）ポリマー（Ｄｙｍａｘ  Ｃｏｒｐｏｒａｔｉｏｎ、Ｔｏｒｒｉｎｇｔｏｎ、ＣＴ）、または他の紫外線硬化性ポリマー、あるいはＥＣＯＦＬＥＸ（登録商標）（ＢＡＳＦ、Ｆｌｏｒｈａｍ  Ｐａｒｋ、ＮＪ）等、但しこれに限定されないシリコーンであってよい。
【００６０】
一例において、コンフォーマルセンサ装置１０２は、温度センサ等、但しこれに限定されない少なくとも１個のセンサ素子１０４を含んでいてよい。少なくとも１個のセンサ素子１０４は、加速度計および／またはジャイロスコープを含んでいてよい。そのような例において、加速度計および／またはジャイロスコープは、「店頭販売」すなわち「ＣＯＴＳ」を含む市販品であってよい。加速度計は、機械的運動を電気信号に変換する圧電または容量素子を含んでいてよい。圧電加速度計は、圧電セラミック材料または単結晶の特性を利用して機械的運動を電気信号に変換できる。容量加速度計には、微小電気機械システムすなわちＭＥＭＳ検知素子等のシリコンマイクロ加工された検知素子を用いることができる。ジャイロスコープは、洗練された位置および規模検知の判定を容易にすることができる。非限定的な例として、ジャイロスコープは、それ自体が接続された物体の傾斜または傾向の判定に利用できる。別の例として、ジャイロスコープを用いて物体の回転速度または回転加速度の定量値を提供することができる。例えば、傾斜または傾向は、ジャイロスコープの出力（すなわち測定値）の積分に基づいて計算できる。
【００６１】
一例において、コンフォーマルセンサ装置１０２は、測定を実行する２個以上のセンサ素子を含んでいてよい。センサ素子のうちの少なくとも１個は、物体または人体の表面の一部で測定を実行するように構成されている。センサ素子のうちの少なくとも１個は、物体または人体の環境の測定を実行するように構成されている。例えば、単一のコンフォーマルセンサ装置において、少なくとも１個のセンサ素子が、物体または人体の表面の方向を向いて構成され、センサ素子の別の１個が、周囲環境条件の測定を実行すべく外向きに構成可能である。
【００６２】
一例において、コンフォーマルセンサ装置は、物体または人体の測定データだけでなく環境条件を連続的に測定するよう動作すべく構成可能である。非限定的な例として、コンフォーマルセンサ装置は、周囲条件の測定を実行するセンサ素子だけでなく生体測定パラメータ検知を実行するセンサ素子を含むように構成可能である。一例において、これら２種類のセンサはコンフォーマルセンサ装置の両端面に対向していてよく、コンフォーマルセンサ装置は、環境条件センサ素子が表面とは反対向きに物体または人体の表面に装着されている。同じ種類のセンサ素子を異なる測定の実行に使用できる実装形態において、例示的コンフォーマルセンサ装置は、物体または人体の表面の形状にほぼ沿っている間、コンフォーマルセンサ装置のいずれの側がその表面に向いた状態でも装着可能である。センサ素子が上向き（すなわち皮膚とは反対向き）であるコンフォーマルセンサ装置の面は、コンフォーマルセンサ装置のすぐ近くの周囲環境条件のデータを測定するように構成されている一方、センサ素子が下向き（すなわち、皮膜側を向いて接触している）の面は、物体または人体のデータを測定する、例えば人間の皮膚を通して人体を測定するように構成されている。
【００６３】
図２に、本明細書に記述する原理の別の実装形態による非限定的な例示的コンフォーマルセンサ装置１５０のブロック図を示す。例示的システム１５０は、測定の実行に用いることができる少なくとも１個のセンサ素子１０４を含んでいる。測定値は、表面の一部の温度のものであってよい。いくつかの例において、測定値はまた、表面の電磁放射への露出量の、または容量性測定を通じた表面の電気特性の値であってよい。図２の非限定的な例において、少なくとも１個の他の要素は、少なくとも１個のセンサ素子１０４に接続されたアナログ検知ブロック１５２、およびアナログ検知ブロック１５２に接続された少なくとも１個のプロセッサ部１５４を含んでいる。少なくとも１個の他の要素はメモリ１５６を含んでいる。例えば、メモリ１５６は、例えばフラッシュメモリ、ＥＥＰＲＯＭ、またはＦｅＲＡＭ等、但しこれらに限定されない不揮発性メモリであってよい。非限定的な例として、メモリ１５６は、無線周波数（ＲＦ）チップの一部として装着されていてよい。少なくとも１個の他の要素はまた、送信器またはトランシーバ１５８を含んでいる。送信器またはトランシーバ１５８を用いて、少なくとも１個のセンサ素子１０４から例示的コンピューティング装置１０８（図示せず）にデータを送信できる。図２の例示的システム１５０はまた、電池１６０および電池１６０に接続された充電調節装置１６２を含んでいる。充電調節装置１６２および電池１６０は、プロセッサ部１５４およびメモリ１５６に接続されている。
【００６４】
システム１５０の非限定的な使用例を以下に示す。電池１６０は、測定を実行すべく装置１０２に電力を供給する。プロセッサ部１５４は、アナログ検知ブロック１５２を周期的に起動し、アナログ検知ブロック１５２は、信号を調整してプロセッサ部１５４のＡ／Ｄポートに配信する。装置１０２からのデータはメモリ１５６に保存される。一例において、近接場通信（ＮＦＣ）コンピューティング装置１０８（図示せず）がシステム１５０の近傍に持ち込まれた場合、データが携帯装置に転送されて携帯装置のアプリケーションソフトウェアにより解釈される。データロギングとデータ転送は非同期であってよい。例えば、データロギングが毎分生じるのに対し、データ転送が散発的に生じてよい。
【００６５】
図３に、本明細書に記述する例示的方法のいずれの実行にも利用可能な例示的装置３００を示す。例示的装置は、コンフォーマルセンサ装置１０２または外部コンピューティング装置１０８内に収納できる。装置３００は、少なくとも１個の通信インターフェース３０２、少なくとも１個のメモリ３０４、および少なくとも１個の処理部３０６を含んでいる。少なくとも１個の処理部３０６は、少なくとも１個の通信インターフェース３０２および少なくとも１個のメモリ３０４と通信可能に接続されている。
【００６６】
少なくとも１個のメモリ３０４は、プロセッサ実行可能命令３０８、アナライザ３１０、およびデータ３１２を保存するように構成されている。装置３００の実装形態例において、アナライザ３１０は、少なくとも１個の測定値を表すデータを解析し、共形接触の程度に基づいて温度の特性を表す少なくとも１個のパラメータを生成し、および温度の特性を表す少なくとも１個のパラメータを所定閾値と比較するプロセッサ実行可能命令を実行する解析エンジンを含んでいる。少なくとも１個の測定値を表すデータまたは少なくとも１個のパラメータの少なくとも一部は、少なくとも１個のメモリ３０４にデータ３１２として保存されても、または装置の外部で、例えば外部機器３１４（クラウド内のデータ記憶装置を含んでいてよい）に保存されてもよい。
【００６７】
一例において、外部機器３１４は、本明細書に記述する任意の例示的な外部コンピューティング装置を含む、外部コンピューティング装置および／またはクラウド（例えば、サーバ）であってよい。
【００６８】
非限定的な例において、少なくとも１個の処理部３０６は、メモリ３０４に保存されたプロセッサ実行可能命令３０８を実行することにより、共形接触の程度に基づいて温度の特性を表す少なくとも１個のパラメータを生成すると共に、アナライザ３１０を用いて、温度の特性を表す少なくとも１個のパラメータを所定閾値と比較する。少なくとも１個の処理部３０６はまた、通信インターフェース３０２を制御して外部機器３１４と通信させる、および／またはメモリ３０４を制御して、生成された少なくとも１個のパラメータのうちの少なくとも１個、および／または温度の特性を表す少なくとも１個のパラメータを所定閾値と比較した結果を表すデータを保存させるプロセッサ実行可能命令３０８を実行することもできる。
【００６９】
少なくとも１個のメモリ３０４はまた、通知要素３１６を保存すべく構成可能である。通知要素３１６は、計算された少なくとも１個のパラメータが所定閾値を上回ることを比較結果が示す場合、第１の時点（Ｔ１）で第１の警報を発するプロセッサ実行可能命令を実行すべく構成可能である。通知要素３１６はまた、計算されたパラメータが所定閾値を下回り、且つ、その後少なくとも滞留期間（ｔ＞０）にわたり所定閾値を上回ることを比較結果が示す場合、より遅い第２の時点（Ｔ２）で第２の警報を発するように構成可能である。
【００７０】
第１の警報および／または第２の警報は、例えば、視覚標識（例えば、ディスプレイ上の）を介した、聴覚トーン（例えば、ベル音、警笛、チャイムまたはその他の任意の聴覚機構）を用いる、または触覚機構（例えば、振動）を用いる任意の形式の知覚モードを用いてユーザーに提供されてよい。
【００７１】
装置３００の一実装形態例において、通知要素３１６は、所定閾値に対して計算された少なくとも１個のパラメータの値を分類することに基づいて警報を発するように構成可能である。通知要素３１６は、所定閾値に対して生成された第１のビンを定義し、少なくとも１個のパラメータが所定閾値を上回る（時点Ｔ１）ことを比較結果が示す場合は第１のビンのカウント値を上げるように構成可能である。第１のビンのカウント値が上げられた場合、通知要素３１６は第１の警報を発するように構成可能である。第２のビンは、第１のビンのカウントが上げられた時点Ｔ１から測った時間間隔だけ監視することに基づいて構成されている。第２のビンは、少なくとも１個のパラメータが所定閾値を下回り、且つ再度所定閾値を上回ることを比較結果が示す場合、Ｔ１より後の時点Ｔｉ（すなわちＴ１＞Ｔ１）でカウント値を上げるように構成されている。１個以上の追加的なビンが、第２のビンのカウント値が上げられた時点Ｔｉから測った時間間隔に基づいて構成可能である。１個以上の追加的なビンは、少なくとも１個のパラメータが所定閾値を上回ったままであることを比較結果が示す場合、一定時間間隔でカウント値を上げるように構成可能である。すなわち、１個以上の追加的なビンを用いて滞留時間ｔを監視する。通知要素３１６は、１個以上の追加的なビンのカウント値が上げられたことで滞留時間ｔに達したかまたは上回ったことが示された場合、時点Ｔ２（Ｔ２＞Ｔｉ）で第２の警報を発するように構成されている。第２の警報を用いて、物体または人体に危害が及ぶ潜在的リスクを示す。
【００７２】
別の実装形態例において、アナライザ３１０は、本明細書に記述するように２個の別々のセンサ測定値に基づいて計算されたパラメータを比較すべく構成可能である。測定値は、単一物体または人体の身体部位の異なる部分に装着または別途接続されたコンフォーマルセンサ装置に基づいていてよい。測定値は、異なる物体または人体に装着されたコンフォーマルセンサ装置に基づいていてよい。本例では、アナライザ３１０は、第１の測定値を示すデータに基づいて第１のパラメータを計算し、第２の測定値を表すデータに基づいて第２のパラメータを計算して、第１のパラメータを第２のパラメータと比較するように構成されている。通知要素３１６は、第２のパラメータが第１のパラメータを上回る場合は第１の通知を発すべく構成可能である。通知要素３１６は、第１のパラメータまたは第２のパラメータが少なくとも滞留時間ｔにわたり所定閾値を上回る場合は第２の通知を発すべく構成可能である。第１の警報および／または第２の警報は、物体または人体に危害が及ぶ潜在的リスクを示す。本例では、通知要素３１６は、第１のビンおよび第２のビンを定義すべく構成可能である。第２のパラメータが第１のパラメータを上回ることを比較結果が示す場合は第２のビンのカウント値を上げることができ、カウント値が上がることで第１の警報が発せられる。第１のパラメータまたは第２のパラメータがそれぞれ所定の滞留時間ｔにわたり所定閾値を上回ることを比較結果が示す場合、第１のビンまたは第２のビンのカウント値を上げることができ、カウント値が上がることで第２の警報が発せられる。
【００７３】
本明細書に記述する原理による例示的コンフォーマルセンサ装置を用いて、広範囲にわたる他の種類の身体装着センサと連動して上述の特性を監視できる。本明細書に記述するコンフォーマルセンサ装置の１個以上を用いて監視可能な追加的特性の非限定的な例を図４に示す。例えば、本明細書に記述する例示的コンフォーマルセンサ装置は、ＩＲ、可視、または紫外線への組織の露出量、または組織に適用される製品による日焼け防止指数（ＳＰＦ）の量を測定する、少なくとも１個の本明細書に記述する原理によるセンサ素子を含んでいてよい。更に別の例として、本明細書に記述する装置は、組織の水分摂取レベルを測定する少なくとも１個の水分摂取センサを含むように構成可能である。
【００７４】
本明細書に記述する技術プラットフォームの装置およびシステムは、外部コンピューティング装置（携帯装置を含む）との無線通信を提供しながら、長期間にわたり非常に低い電力レベルでセンサデータのログを取得すべく利用可能なコンフォーマル電子機器を実現する。コンフォーマル電子機器は、身体装着電子機器および、紙、木材、革、布地（キャンバス上の工芸品またはその他の作品を含む）、植物または工具を含む他の表面に沿う電子機器を含んでいる。
【００７５】
一例において、本明細書に記述するコンフォーマル電子機器の技術プラットフォームはまた、表面が受ける電磁放射量を監視すべく利用可能な電子装置要素を含んでいてよい。一例において、センサ素子は、ＵＶＡおよびＵＶＢへの露出を連続的に記録可能にするＵＶセンサである。非限定的な例において、本明細書に記述する例示的コンフォーマルセンサ装置は、表面が受ける電磁放射量を記録して、データ測定値を例示的コンピュータに送信するＩＲ／可視／ＵＶセンサとして構成可能である。
【００７６】
一例において、それぞれ図面を含め全体が本明細書に援用される、２０１２年９月４日に出願されたＥＬＥＣＴＲＯＮＩＣＳ  ＦＯＲ  ＤＥＴＥＣＴＩＯＮ  ＯＦ  Ａ  ＣＯＮＤＩＴＩＯＮ  ＯＦ  ＴＩＳＳＵＥ」という名称の米国特許出願第１３／６０３，２９０号明細書、または２０１２年９月２８日に出願されたＥＬＥＣＴＲＯＮＩＣＳ  ＦＯＲ  ＤＥＴＥＣＴＩＯＮ  ＯＦ  Ａ  ＰＲＯＰＥＲＴＹ  ＯＦ  Ａ  ＳＵＲＦＡＣＥ」という名称の米国特許出願第１３／６３１，７３９号明細書に記述されている任意のセンサ装置は、本明細書に記述する例の任意の原理によりコンフォーマルセンサ装置として実装できる。
【００７７】
非限定的な例において、本明細書に記述する任意の原理によるコンフォーマルセンサ装置は、パッチの一部として表面に装着できる。表面は、紙の表面の一部、瓶またはその他の包装、木、革、キャンバス上の工芸品またはその他の作品を含む布地、植物、または工具の一部であってよい。
【００７８】
図５に、本明細書に記述する任意の装置の少なくとも１つを含んでいてよいパッチ５０２の一例を示す。パッチ５０２は、皮膚の一部等、但しこれに限定されない表面に適用可能である。例示的コンピューティング装置５０４を用いて、パッチ５０２の例示的コンフォーマルセンサ装置により実行された測定に関してデータを受信できる。例えば、パッチ５０２は、例示的コンピューティング装置５０４に信号を送信する送信器またはトランシーバを含んでいてよい。
【００７９】
本明細書のいずれの例でも、コンフォーマルセンサ装置からコンピューティング装置へのデータの送信は、互いの近さに依存してよい。例えば、コンピューティング装置は、コンピューティング装置がコンフォーマルセンサ装置から数センチメートル以内にある場合はデータを受信すべく構成可能である。ユーザーは、コンピューティング装置をコンフォーマルセンサ装置に近接して配置することにより、コンフォーマルセンサ装置（パッチに装着された１個を含む）からのデータ転送を容易にすることができる。
【００８０】
以下により詳細に述べるように、コンピューティング装置は、データ解析等の機能を実行するアプリケーション（「アプリ」）を含んでいてよい。例えば、少なくとも１個のセンサ素子からのデータを例示的コンピューティング装置５０４上のアプリを実行するプロセッサにより本明細書に記述する方法で解析して物体または人体の特性の指標を提供できる。図５に、本明細書に記述するようにアナライザを用いたデータ解析の結果の例示的表示５０６を示す。データ解析により、物体または人体の温度を表す少なくとも１個のパラメータが得られる。
【００８１】
いくつかの例において、アプリは、時間に伴う少なくとも１個のパラメータのログ取得および／または追跡を行うべく実装可能である。例えば、アプリは、時間に伴う散発的なセンサ測定に基づいて表面温度のログ取得および／または追跡を行うべく実装可能である。すなわち、コンピューティング装置上のアプリは、コンピューティング装置のプロセッサ部がパッチ５０２のコンフォーマルセンサ装置からの温度測定値を表すデータを解析して、物体または人体の特性を表す少なくとも１個のパラメータを提供すべく解析エンジンを実装するプロセッサ実行可能命令を含んでいてよい。
【００８２】
例示的パッチ５０２は、物体または人体の温度を監視すべく主として温度の測定を実行すべく構成可能である。測定値からのデータは、上述のように収集および解析することができる。アナライザは、パッチの要素および／またはアプリの機能として含まれていてよい。通知要素は、パッチの要素および／またはアプリの機能として含まれていてよい。
【００８３】
一実装形態例において、ＮＦＣ対応コンピューティング装置は、各種の時間間隔で、例えば１日中、測定値からのデータを収集すべくパッチ５０２に近接して配置されていてよい。
【００８４】
一例において、例示的パッチ５０２は、快適さおよび通気性のために構成された耐久センサパッチまたは使い捨て接着パッチであってもよい。使用後、例えば１日の終わりに、ユーザーは、使い捨て接着パッチを廃棄し、耐久センサパッチは後で再利用すべく取っておいてよい。センサパッチは、充電パッドを用いて再充電できる。
【００８５】
図６に示すように、例示的コンピューティング装置１０８は、通信モジュール６１０および解析エンジン６１２を含んでいてよい。通信モジュール６１０は、コンフォーマルセンサ装置の少なくとも１個のセンサ素子の測定値を表すデータを受信すべく実装可能である。解析エンジン６１２は、データを解析して表面特性および共形接触の程度を表す少なくとも１個のパラメータを生成すべく実装可能である。図６の例に示すように、コンピューティング装置１０８は、ユーザーが解析エンジン６１２を起動すべく実装可能なアプリケーション（アプリ）６１４をプロセッサ部が実行できるようにプロセッサ実行可能命令を含んでいてよい。アプリ６１４はまた、通知要素６１６がデータ解析の起動に基づいて起動されるように構成可能である。通知要素６１６は、本明細書に記述するようにデータ解析および所定閾値との比較に基づいて警報を発するように構成されている。一例において、プロセッサ実行可能命令は、ソフトウェア、ファームウェア、または他の命令を含んでいてよい。
【００８６】
例示的通信モジュール６１０は、コンフォーマルセンサ装置１０２とコンピューティング装置１０８の間で情報を交換できる任意の有線および／または無線通信インターフェースを実装すべく構成可能である。有線通信インターフェースの非限定的な例として、ＵＳＢポート、ＲＳ２３２コネクタ、ＲＪ４５コネクタ、およびイーサネット（登録商標）コネクタ、ならびにこれらに付随する任意の適当な回路が含まれるが、これらに限定されない。無線通信インターフェースの非限定的な例として、Ｂｌｕｅｔｏｏｔｈ（登録商標）技術、Ｗｉ−Ｆｉ、Ｗｉ−Ｍａｘ、ＩＥＥＥ８０２．１１技術、無線周波数（ＲＦ）通信、赤外線データ協会（ＩｒＤＡ）互換プロトコル、ローカルエリアネットワーク（ＬＡＮ）、ワイドエリアネットワーク（ＷＡＮ）、共有無線アクセスプロトコル（ＳＷＡＰ）を実装するインターフェースが含まれ得るが、これらに限定されない。
【００８７】
本明細書のいずれの例でも、コンピューティング装置１０８上のアプリ６１４は、解析エンジンがコンフォーマルセンサ装置からの測定値を解析して、物体または人体の主として温度の特性を表すデータ等、但しこれらに限定されない少なくとも１個のパラメータを提供するようなプロセッサ実行可能命令を含んでいてよい。いくつかの例において、アプリ６１４は、本明細書に記述するような解析に基づいて警報を発するプロセッサ実行可能命令を含んでいてよい。
【００８８】
図７に、本明細書に記述する任意の例示的システムおよび方法の実装に用いることができる例示的コンピュータシステム７００の一般的アーキテクチャを示す。図７のコンピュータシステム７００は、少なくとも１個のメモリ７２５、１個以上の通信インターフェース７０５、および１個以上の出力装置７１０（例えば、１個以上のディスプレイ装置）、ならびに１個以上の入力装置７１５と通信可能に接続された１個以上のプロセッサ７２０を含んでいる。
【００８９】
図７のコンピュータシステム７００において、メモリ７２５は、任意のコンピュータ可読な記憶媒体を含んでいてよく、各システムに対して本明細書に記述する各種の機能を実装するプロセッサ実行可能命令等のコンピュータ命令と共に、命令により生成されたかまたは通信インターフェースまたは入力装置を介して受信された、命令に関する任意のデータを保存できる。図７に示すプロセッサ７２０を用いてメモリ７２５に保存された命令を実行することができ、またその実行に際して、または命令の実行に従い処理または生成された各種の情報の読み出しまたは書き込みをメモリとの間で行うこともできる。
【００９０】
図７に示すコンピュータシステム７００のプロセッサ７２０はまた、命令の実行に応じて各種の情報を送信または受信すべく通信インターフェース７０５と通信可能に接続されていてよく、またはこれを制御することができる。例えば、通信インターフェース７０５は、有線または無線ネットワーク、バス、または他の通信手段等、但しこれらに限定されない通信手段７１４に接続されていてよく、従って、コンピュータシステム７００が他の装置（例えば、他のコンピュータシステム）との間で情報の送信および／または情報の受信を行うことを可能にする。図７のシステムには明示していないが、１個以上の通信インターフェースによりシステム７００の要素間での情報のフローが促進される。いくつかの実装形態例において、通信インターフェースは（例えば各種のハードウェア要素またはソフトウェア要素を介して）、コンピュータシステム７００の少なくともいくつかの機能へのアクセスポータルとしてウェブサイトを提供すべく構成可能である。
【００９１】
図７に示すコンピュータシステム７００の出力装置７１０が、例えば命令の実行に関連して各種の情報を閲覧または別途知覚できるように設けられていてよい。入力装置７１５が、例えばユーザーが手動で調整を行う、選択を行う、データまたは各種の他の情報を入力する、または命令の実行中にプロセッサと任意の様々な方法で対話できるように設けられていてよい。
【００９２】
本明細書に記述するシステム、方法、および動作の例は、デジタル電子回路、またはコンピュータソフトウェア、ファームウェア、または本明細書に開示する構造および構造の均等物、またはこれらの１つ以上の組み合わせを含むハードウェアにより実装可能である。本明細書に記述するシステム、方法、および動作の例は、１個以上のコンピュータプログラム、すなわちデータ処理装置により実行されるべく、またはデータ処理装置の動作を制御すべくコンピュータ記憶媒体にコード化されたコンピュータプログラム命令の１個以上のモジュールとして実装可能である。プログラム命令は、人工的に生成された伝搬信号、例えば、機械により生成された電気、光、または電磁気信号、すなわちデータ処理装置により実行されるべく適当な受信装置への送信用に情報をコード化すべく生成された信号によりコード化可能である。コンピュータ記憶媒体は、コンピュータ可読な記憶装置、コンピュータ可読な記憶基板、ランダムまたはシリアルアクセスメモリアレイまたは装置、あるいはこれらの１つ以上の組み合わせであってよいか、またはこれらに含まれていてよい。更に、コンピュータ記憶媒体は伝搬信号ではないが、コンピュータ記憶媒体は人工的に生成された伝搬信号にコード化されたコンピュータプログラム命令のソースまたは宛先であってよい。コンピュータ記憶媒体はまた、１個以上の別々の物理的要素または媒体（例えば、複数のＣＤ、ディスク、ＵＳＢメモリ装置、または他の記憶装置）であってよく、またはこれらに含まれていてもよい。
【００９３】
本明細書に記述する動作は、１個以上のコンピュータ可読な記憶装置に保存された、または他のソースから受信されたデータに対してデータ処理装置が実行する動作として実装可能である。
【００９４】
「データ処理装置」または「コンピューティング装置」という用語は、例えばプログラマブルプロセッサ、コンピュータ、システムオンチップ、または上記項目の複数または組み合わせを含む、あらゆる種類のデータ処理用装置、機器、および機械を含んでいる。装置は、専用回路、例えばＦＰＧＡ（フィールドプログラマブルゲートアレイ）またはＡＳＩＣ（特定用途向け集積回路）を含んでいてよい。装置はまた、ハードウェアに加え、注目するコンピュータプログラムの実行環境を生成するコード、例えばプロセッサファームウェア、プロトコルスタック、データベース管理システム、オペレーティングシステム、クロスプラットフォーム実行時環境、仮想マシン、またはこれらの１つ以上の組み合わせを構成するコードを含んでいてよい。
【００９５】
コンピュータプログラム（プログラム、ソフトウェア、ソフトウェアアプリケーション、ファームウェア、スクリプト、アプリケーションまたはコードとしても知られる）は、コンパイラまたはインタープリタ言語、宣言型または手続型言語を含む任意の形式のプログラミング言語で書かれていてよく、スタンドアローンプログラムまたはモジュールとしてコンポーネント、サブルーティン、オブジェクト、または演算環境の利用に適した他のユニットを含む任意の形式で搭載されていてよい。コンピュータプログラムは、ファイルシステム内のファイルに対応していても、いなくてもよい。プログラムは、他のプログラムまたはデータ（例えば、マークアップ言語ドキュメントに保存された１個以上のスクリプト）を、注目するプログラム専用の単一のファイル、または複数の協調的ファイル（例えば、１個以上のモジュール、サブプログラム、またはコード部分を保存するファイル）内に保持するファイルの一部に保存されていてよい。コンピュータプログラムは、１台のコンピュータで、または１個のサイトに存在するかまたは複数のサイトに分散されて通信ネットワークにより相互接続された複数のコンピュータで実行されるべく搭載されていてよい。
【００９６】
本明細書に記述する処理および論理フローは、入力データに作用して出力を生成することにより動作を実行する１個以上のコンピュータプログラムを実行する１個以上のプログラム可能なプロセッサにより実行されてよい。例えばＦＰＧＡ（フィールドプログラマブルゲートアレイ）またはＡＳＩＣ（特定用途向け集積回路）により、処理および論理フローを実行することも可能であり、且つ装置を専用回路として実装することも可能である。
【００９７】
コンピュータプログラムの実行に適したプロセッサとして、例えば、汎用および専用マイクロプロセッサ、および任意の種類のデジタルコンピュータの１つ以上の任意のプロセッサが含まれる。一般に、プロセッサは命令およびデータを、読出し専用メモリまたはランダムアクセスメモリあるいはこれらの両方から受信する。コンピュータの必須要素は、命令に従い動作を実行するプロセッサと、命令およびデータを保存する１個以上のメモリ装置である。一般に、コンピュータはまた、データ受信、データ転送、あるいはその両方を行うべく、データを保存する１個以上の大容量記憶装置、例えば、磁気、光磁気ディスク、または光ディスク含んでいるかまたは動作可能に接続されている。しかし、コンピュータはそのような装置を備えている必要はない。更に、コンピュータは、別の装置、例えば携帯電話、携帯情報端末（ＰＤＡ）、携帯音声またはビデオプレーヤー、ゲーム機、全地球測位システム（ＧＰＳ）受信器、または可搬記憶装置（例えば、ユニバーサルシリアルバス（ＵＳＢ）フラッシュドライブ）に埋め込まれていてよい。コンピュータプログラム命令およびデータの保存に適した装置として、例えばＥＰＲＯＭ、ＥＥＰＲＯＭ等の半導体メモリ装置、およびフラッシュメモリ装置、内蔵ハードディスクまたはリムーバブルディスク等の磁気ディスク、光磁気ディスク、ならびにＣＤＲＯＭおよびＤＶＤ−ＲＯＭディスクを含むあらゆる形式の不揮発性メモリ、媒体およびメモリ装置が含まれる。プロセッサおよびメモリは、専用回路により補完されていても、または専用回路に組み込まれていてもよい。
【００９８】
ユーザーとの対話機能を提供すべく、本明細書に記述する主題の例は、ユーザーに情報を提示するディスプレイ装置、例えばＣＲＴ（陰極線管）、プラズマ、またはＬＣＤ（液晶ディスプレイ）モニタと、ユーザーがコンピュータに入力できるようにするキーボードおよびポインティングデバイス、例えばマウス、タッチスクリーンまたはトラックボールとを備えたコンピュータで実装可能である。同様にユーザーとの対話機能を提供すべく他の種類の装置を用いてもよい。例えば、ユーザーに提供される警報および／または他のフィードバックは、任意の形式の知覚フィードバック、例えば視覚フィードバック、聴覚フィードバック、または触覚フィードバックであってよく、ユーザーからの入力は、音響、音声、または触覚の入力を含む任意の形式で受信されてよい。また、コンピュータは、例えば、ウェブブラウザから受信したリクエストに応答してユーザーのクライアント装置のウェブブラウザにウェブページを送信することにより、ユーザーが使用する装置との間でドキュメントを送受信することによりユーザーと対話できる。
【００９９】
いくつかの例において、本明細書のシステム、方法または動作は、例えばデータサーバとしてバックエンド要素を含む、またはミドルウェア要素、例えばアプリケーションサーバを含む、あるいはフロントエンド要素、例えば、本明細書に記述する主題の実装形態とユーザーとの対話を仲介するグラフィカルユーザーインターフェースまたはウェブブラウザを有するクライアントコンピュータ、あるいは１個以上のこのようなバックエンド、ミドルウェアまたは、フロントエンド要素の任意の組み合わせを含むコンピュータシステム内で実装可能である。システムの要素は、デジタルデータ通信、例えば通信ネットワークの任意の形式または媒体により相互接続されていてよい。通信ネットワークの例として、ローカルエリアネットワーク（「ＬＡＮ」）およびワイドエリアネットワーク（「ＷＡＮ」）、ネットワーク間接続（例えば、インターネット）、ピアツーピアネットワーク（例えば、アドホックピアツーピアネットワーク）が含まれる。
【０１００】
例示的コンピュータシステム７００はクライアントおよびサーバを含んでいてよい。クライアントおよびサーバは一般に、互いに離れていて、典型的には通信ネットワークを介して対話する。クライアントとサーバの関係は、各々のコンピュータで動いていて、互いにクライアント・サーバ関係を有するコンピュータプログラムにより生じる。いくつかの実施形態において、サーバは、（例えばクライアント装置と対話しているユーザーにデータを提示し、ユーザーからユーザー入力を受信する目的で）クライアント装置にデータを送信する。クライアント装置で生成されたデータ（例えば、ユーザー対話の結果）をクライアント装置からサーバにおいて受信することができる。
【０１０１】
図８Ａに、本明細書に記述する例示的システム、装置、および機器のいずれを用いても実装可能な例示的方法を示す。例示的方法は、物体または人体の表面の一部に装着されたコンフォーマルセンサ装置を用いる物体または人体の特性監視に利用できる。本方法は、通信インターフェースを用いて、コンフォーマルセンサ装置の少なくとも１個のセンサ素子の少なくとも１個の測定値を表すデータを受信するステップ８１０を含んでいる。コンフォーマルセンサ装置は、表面の一部の温度の特性の少なくとも１個の測定値を得るべく少なくとも１個のセンサ素子を含んでいる。コンフォーマルセンサ装置は、表面の形状にほぼ沿うことで、ある程度の共形接触を行う。本方法は、解析エンジンを用いて、データを解析し、コンフォーマルセンサ装置の共形接触の程度に基づいて温度の特性を表す少なくとも１個のパラメータを生成して、少なくとも１個のパラメータを所定閾値と比較するステップ８１２を含んでいる。本方法は、通知要素８１４を用いて、少なくとも１個のパラメータが所定閾値を上回る場合は時点Ｔ１で第１の警報を発し、少なくとも１個のパラメータが所定閾値を下回り、且つ、その後少なくとも滞留時間ｔにわたり所定閾値を上回る場合は時点Ｔ２で第２の警報を発するステップを含んでいる。第２の警報は、物体または人体に危害が及ぶ潜在的リスクの兆候を提供する。
【０１０２】
図８Ｂに、本明細書に記述する例示的システム、装置、および機器のいずれを用いても実施可能な別の例示的方法を示す。例示的方法は、物体または人体の表面の一部へ装着されたコンフォーマルセンサ装置を用いる物体または人体の特性監視に利用できる。本方法は、通信インターフェースを用いて、コンフォーマルセンサ装置の少なくとも１個のセンサ素子の少なくとも１個の測定値を表す第１のデータおよび第２のデータを受信するステップ８２０を含んでいる。コンフォーマルセンサ装置は、表面の一部の温度の特性の少なくとも１個の測定値を得るべく少なくとも１個のセンサ素子を含んでいる。コンフォーマルセンサ装置は表面の形状にほぼ沿うことで、ある程度の共形接触を行う。本方法は、処理部を用いて、第１のデータを用いて温度の特性を表す第１のパラメータを共形接触の程度に基づいて計算するステップ８２２と、第２のデータを用いて温度の特性を表す第２のパラメータを共形接触の程度に基づいて計算するステップ８２４とを含んでいる。ブロック８２６において、処理部を用いて第１のパラメータを第２のパラメータと比較する。本方法は、第１のパラメータが第２のパラメータを上回る場合は第１の通知を発するステップ（８２８）を含み、第１のパラメータまたは第２のパラメータが少なくとも滞留時間ｔにわたり所定閾値を上回る場合は第２の通知を発するステップ（８３０）を含んでいる。第１の警報および／または第２の警報は、物体または人体に危害が及ぶ潜在的リスクの兆候を提供する。
【０１０３】
図８Ｃに、本明細書に記述する例示的システム、装置、および機器のいずれを用いても実施可能な例示的方法を示す。例示的方法は、物体または人体の表面の一部に装着されたコンフォーマルセンサ装置を用いる環境条件の調整に利用できる。本方法は、通信モジュールを用いて、コンフォーマルセンサ装置の少なくとも１個のセンサ素子の少なくとも１個の測定値を表すデータを受信するステップ８４０を含んでいる。コンフォーマルセンサ装置は、表面の一部の温度の特性の少なくとも１個の測定値を得るべく少なくとも１個のセンサ素子を含んでいる。コンフォーマルセンサ装置は表面の形状にほぼ沿うことで、ある程度の共形接触を行う。本方法は、解析エンジンを用いて、データを解析し、コンフォーマルセンサ装置の共形接触の程度に基づいて温度の特性を表す少なくとも１個のパラメータを生成して、少なくとも１個のパラメータを所定閾値と比較するステップ８４２を含んでいる。本方法は、通知要素を用いて、温度の特性を表す少なくとも１個のパラメータが所定閾値を上回る場合、環境調整システムのコントローラにコマンドを送信すべく通信モジュールを制御するステップ８４４を含んでいる。コマンドは、環境調整システムを起動する、および／または環境調整システムの動作設定点を変更する命令を含んでいる。
【０１０４】
図８Ｄに、本明細書に記述する例示的システム、装置、および機器のいずれを用いても実施可能な例示的方法を示す。例示的方法は、物体または人体の表面の一部に装着されたコンフォーマルセンサ装置を用いる環境条件の調整に利用できる。本方法は、通信モジュールを用いて、コンフォーマルセンサ装置の少なくとも１個のセンサ素子の少なくとも１個の測定値を表すデータを受信するステップ８６０を含んでいる。コンフォーマルセンサ装置は、表面の一部の温度の特性の少なくとも１個の測定値を得るべく少なくとも１個のセンサ素子を含んでいる。コンフォーマルセンサ装置は表面の形状にほぼ沿うことで、ある程度の共形接触を行う。本方法は、解析エンジンを用いて、データを解析し、コンフォーマルセンサ装置の共形接触の程度に基づいて温度の特性を表す少なくとも１個のパラメータを生成して、少なくとも１個のパラメータを所定閾値と比較するステップ８６２を含んでいる。本方法は、通知要素を用いて、温度の特性を表す少なくとも１個のパラメータが所定閾値を上回り、且つ少なくとも１個の物体または人体がコントローラの指定領域内に存在する場合はコマンドを環境調整システムのコントローラに送信すべく通信モジュールを制御するステップ８６４を含んでいる。コマンドは、環境調整システムを起動する、および／または環境調整システムの動作設定点を変更する命令を含んでいる。
【０１０５】
非限定的な例として、指定領域は、指定距離であってよい。命令は、少なくとも１個の物体または人体が指定領域内に存在するか否かを判定すべく位置情報と指定距離との比較を指定できる。非限定的な例として、指定領域は、０．５マイル、１マイル、２マイル以上に設定可能である。
【０１０６】
非限定的な他の例として、指定領域は、交通速度および交通ルートオプションを含む交通状態を表すデータに基づいて計算できる。
一実装形態例において、システム、方法、または装置は、命令と合わせてコマンドを、例えば指定領域内で（例えば運転して帰宅中に）個人の位置が特定された場合、個人がコントローラを呼び出すかまたは別途連絡を行う必要なしに、住宅またはアパート内の部屋を暖めるかまたは冷やす環境調整システムに送信すべく構成可能である。例示的システム、方法、装置は、交通状態、個人の日常スケジュール、および／または個人のコンフォーマルセンサ読み取り値に基づいて個人が指定領域内に存在するか否かを判定すべく構成可能である。
【０１０７】
図８Ｅに、本明細書に記述する例示的システム、装置、および機器のいずれを用いても実施可能な例示的方法を示す。例示的方法は、物体または人体の表面の一部に装着されたコンフォーマルセンサ装置を用いる物体または人体の特性監視に利用できる。本方法は、通信インターフェースを用いて、コンフォーマルセンサ装置の少なくとも１個のセンサ素子の少なくとも１個の測定値を表すデータを受信するステップ８９０を含んでいる。コンフォーマルセンサ装置は、表面の一部の温度の特性の少なくとも１個の測定値を得るべく少なくとも１個のセンサ素子を含んでいる。コンフォーマルセンサ装置は表面の形状にほぼ沿うことで、ある程度の共形接触を行う。本方法は、アプリケーションを実行する処理部を用いて、データを解析し、データの解析に基づいて少なくとも１個の警報を生成するステップ８９５を含んでいる。警報は、物体または人体に危害が及ぶ潜在的リスクの兆候を提供する。
【０１０８】
図３に示す例示的装置３００はまた、図８Ａ〜８Ｅに示す例示的方法のいずれを実行するためにも利用できる。
本明細書に記述するシステム、方法、および装置を用いて、身体または身体の一部（組織を含む）の温度の検知に基づいて集められたデータを解析して、ユーザーの身体またはユーザーの環境の状態に関する有用な情報を提供できる。一例において、コンフォーマルセンサ装置は温度センサ装置として用いることができる。コンフォーマルセンサ装置は、身体または身体の一部（組織を含む）に装着されても、または近傍に配置されていてもよい。一例において、身体の他の生理的測定の検知に基づいて集められた追加的なデータもまた解析されて、ユーザーの身体またはユーザーの環境の状態に関する有用な情報を提供できる。
【０１０９】
非限定的な例において、コンフォーマルセンサ装置を用いて、人間または人間以外の動物の身体の少なくとも一部の体温変化を検知および／または監視できる。例えば、本明細書に記述するコンフォーマルセンサ装置を用いて、高体温症および／または発熱状態に関連付けられた体温を含む体温上昇または付随する体温変化を検知および／または監視できる。別の例として、本明細書に記述するコンフォーマルセンサ装置を用いて、低体温症に付随する体温を含む体温低下または付随する体温変化を検知および／または監視できる。
【０１１０】
本明細書に記述する原理による全ての例において、少なくとも１個のパラメータは温度の値であってよい。温度は、絶対値または相対値として定量化できる。例えば、温度は、所与の被験者の体温の平均値、中央値、または算術的平均値に相対的に、または２人以上の被験者の体温の平均値、中央値、または算術的平均値に相対的に定量化できる。別の例において、温度は標準値または他の較正値に相対的に定量化できる。標準値または他の較正値は、コンフォーマルセンサ装置に保存するか、またはコンフォーマルセンサ装置からのデータを送信または別途提供あるいは取り込む外部システムに保存できる。
【０１１１】
本明細書に記述する検知を、薄型のコンフォーマル且つ着用可能なセンサおよびそのようなセンサを含む装置を用いて実行する場合、これらの測定および計量は、コンフォーマルセンサ装置測定装置のサイズ、重量または設置場所に影響されない。
【０１１２】
本明細書に記述する原理による例示的システム、方法、および装置は、リハビリテーション、理学療法、運動トレーニング、および運動選手の監視を含む各種のアプリケーション用に、身体または身体の部分（組織を含む）の温度を測定可能な薄型のコンフォーマル電子測定システムを提供する。また、例示的システム、方法、および装置は、運動選手の評価、パフォーマンス監視、トレーニング、およびパフォーマンス向上に用いることができる。
【０１１３】
図９Ａ〜９Ｄに、体温検知および／または監視（発熱監視を含む）用の例示的コンフォーマルセンサ装置および付随する周辺機器を含む例示的システムの異なる要素を示す。この非限定的な例において、コンフォーマルセンサ装置は、再利用可能な、コンフォーマル温度センサ装置として構成されている。
【０１１４】
図９Ａに、例示的コンフォーマルセンサ装置９１０の上面図を示す。例示的コンフォーマルセンサ装置９１０は、物体または人体の一部（例えば、身体部位）に接続されて温度を連続的または断続的に監視できる。例えば、例示的コンフォーマルセンサ装置９１０は温度の特性を表すデータを提供すべく、測定を連続的に断続的に実行するように構成されている。データは本明細書に記述する方法で解析されて温度を表すパラメータを提供できる。
【０１１５】
部分９１２等、但しこれに限定されない例示的コンフォーマルセンサ装置の一部は、表面からの取り外しを容易にするように構成された部分を含んでいる。例えば、部分９１２は、簡単に剥がせるように多少硬い取っ手を含んでいてよい。たとえパッチの大部分が柔らかいために物体または人体の表面にコンフォーマルであっても、コンフォーマルセンサ装置９１０の少なくとも１個の区画が、着用者または他のユーザーがコンフォーマルセンサ装置９１０を取り外すための取っ手として機能するより硬い部分を有すべく構成可能である。更に、この硬い取っ手部分は、いくつかの硬いセンサ素子を装着できる位置であってよい。
【０１１６】
図９Ｂに、例示的コンフォーマルセンサ装置９１０を物体または人体の表面の一部にコンフォーマル的に接続させるべく利用可能な例示的接着パネル９２０の上面図を示す。接着パネル９２０は両面接着型であってよい。皮膚に付着する薄いパッチは剥がすのが困難な場合が多い。接着パネルは、硬い取っ手９１２に沿って、ユーザーがコンフォーマルセンサ装置９１０を把持して物体または人体の表面から取り外せるようにするタブ９２２を含んでいてよい。タブ９２２は、接着材を含んでいても、または接着剤無しでもよい。
【０１１７】
図９Ｃに、コンフォーマルセンサ装置９１０の電源を充電すべく利用可能な例示的充電器９３０を示す。例えば、例示的充電器は、標準的なＡＣ壁コンセントを介してコンフォーマル温度センサ装置に充電すべく構成可能である。充電器はまた、追加的な使い捨て接着パネル９２０を格納するための区画を含んでいてよい。
【０１１８】
図９Ｄに、通信インターフェース、解析エンジン、および／または通知要素を起動すべく利用可能な例示的アプリ９４０の表示を示す。アプリ９４０は、本明細書に記述するスマートフォンまたはその他の携帯装置、但しこれらに限定されない任意のコンピューティング装置用に構成可能である。例示的アプリ９４０を用いて測定データおよび／または少なくとも１個のパラメータを見ることができる。例えば、アプリ９４０の表示を用いて温度データを表示できる。例示的アプリ９４０はまた、警報を発すべきか、および警報の種類を決定すべく少なくとも１個のパラメータと比較される現在の閾値をユーザーが設定できるように入力インターフェースを提示すべく構成可能である。例えば、温度閾値を用いて警報を発すべきか否かを判定できる。
【０１１９】
例示的アプリ９４０はまた、コンフォーマルセンサ装置およびパッチレイアウトに関する情報を提供すべく利用できる。例えば、アプリは、パッチの異なる部分、コンフォーマルセンサ装置とパッチの共形接触の程度、それらの動作状況、およびコンフォーマルセンサ装置とパッチを身体または物体のどこに装着して実装するかをユーザーが決定するために利用できる情報の表示を行うように構成可能である。
【０１２０】
例示的アプリ９４０はまた、比較の実行（および警報の発行）に用いる所定閾値を含む、警報設定の表示を行うように構成可能である。例示的ディスプレイは、現在の警報状態を示す欄をディスプレイ上に表示すべく構成可能である。
【０１２１】
図１０Ａに、例示的コンフォーマルセンサ装置の基部１０１０、および基部１０１０内の指定区画１０３０に設置されるように構成された電源１０２０の組立分解等角図を示す。図１０Ａはまた、センサ素子および少なくとも１個の処理部を含むコンフォーマルセンサ装置の他の電子部品１０３５を示す。図１０Ｂに、電池を含むコンフォーマルセンサ装置の組立図１０５０を示す。
【０１２２】
図１１に、例示的接着パネル１１００の分解図を示す。例示的接着パネル１１００は、第１のライナー１１１０、第１の接着部１１２０、キャリア１１３０、第２の接着部１１４０、第２のライナー１１５０を含んでいる。
【０１２３】
図１２に、例示的充電器１２００の側面図を示す。各種の例において、充電器１２００は、例示的充電器１２００を用いて充電を促進するＵＳＢコネクタ１２１０および／またはプラグ１２２０を含んでいてよい。
【０１２４】
図１３に、コンフォーマルセンサ装置ベース１３２０の電子部品を封入すべくコンフォーマルセンサ装置ベース１３２０に接続可能な封入筐体１３２０を示す。
例示的コンフォーマルセンサ装置９１０は、体温測定を１２時間にわたり自動的に実行してログ取得すべく構成可能である。例示的コンフォーマルセンサ装置９１０は、２台のスマートフォン（または他の携帯装置）上で、スマートフォンまたはその他の携帯装置用のアプリケーションに簡単に接続できるように構成可能である。例示的コンフォーマルセンサ装置９１０は、６０秒間隔で温度を測定すべく構成可能である。スマートフォンまたはその他の携帯装置用の例示的コンフォーマルセンサ装置９１０およびアプリ９４０は、ログ取得された温度データの即時オンデマンドダウンロードおよび表示をサポートすべく構成可能である。例示的コンフォーマルセンサ装置９１０は、ユーザー定義された高温閾値設定点をサポートすべく構成可能である。例示的アプリ９４０は、直観的であるように構成可能である。
【０１２５】
スマートフォンまたはその他の携帯装置用のアプリ９４０は、パッチからの信号が検知されていないことを示すべく構成可能である。アプリ９４０は、測定値（乳児の体温等、但しこれに限定されない）に関する情報をアプリ６４０の指定された起動の時間内（アプリ６４０の起動の約６０秒等、但しこれに限定されない）で表示すべく構成可能である。例示的アプリ９４０は、温度設定点をユーザーが設定できるように構成可能である。例示的アプリ９４０は、温度が閾値設定点に到達したか５分間にわたり上回った場合は視覚および音声の両方の通知を生成すべく構成可能である。例示的アプリ９４０は、ユーザーが「オフ」ボタンをタップすることにより警報を処理できるように構成可能である。「オフ」ボタンがタップされて、温度が閾値を下回った場合、温度が閾値を超えて一定時間（約５分間）留まるまで警報が再び鳴り出さないように警報設定を行うことができる。「オフ」を押下した後で温度が滞留時間（例えば、更に５分間）にわたり閾値を上回った場合、アプリ９４０は再び警報を鳴らすように構成されている。
【０１２６】
例示的アプリ９４０は、ユーザー情報を他の友人、家族、または医療従事者（インフォームドコンセントを伴う）と共有できるように構成可能である。例示的アプリ９４０は、ｉＰｈｏｎｅ（登録商標）４ＳまたはｉＰｈｏｎｅ（登録商標）５（Ａｐｐｌｅ  Ｉｎｃ．）と互換性を有すべく構成可能である。例示的アプリ９４０は、Ａｎｄｒｏｉｄ（商標）互換であるように構成可能である。例示的アプリ９４０は、ソフトウェアパッチおよびアップグレードをサポートすべく構成可能である。例示的アプリ９４０は、ソフトウェアバグを自動的に報告すべく構成可能である。
【０１２７】
例示的コンフォーマルセンサ装置９１０は、ユーザーが指定した時間（２４時間、但しこれに限定されない）にわたり温度データを測定してログ取得すべく構成可能である。例示的コンフォーマルセンサ装置９１０は、製造コストが約３５ドル未満であるように構成可能である。例示的コンフォーマルセンサ装置９１０は、複数のコンピューティング装置（３台のスマートフォンまたはその他の携帯装置を含む）上で例示的アプリ９４０に簡単に接続できるように構成可能である。例示的アプリ９４０は、着信メロディ、電子メールメッセージ、ＳＭＳ等、温度通知プロファイルをユーザーが設定できるようにすべく構成可能である。
【０１２８】
例示的アプリ９４０はまた、薬剤種類、数量、タイムスタンプ、アレルギー種類、潜在的薬物相互作用のうちの１つ以上を含む薬剤投与に関する情報のログ取得をユーザー起動できるように構成可能である。例示的アプリ９４０は、時間グラフ上で温度に重ね合わされた投薬管理情報を示すべく構成可能である。例示的アプリ９４０は、薬剤投与通知およびリマインダーをユーザーが設定できるように構成可能である。
【０１２９】
アプリ９４０は、電池残量（時間／分、または電池アイコンよりも有意味な記号で示す）を表示すべく構成可能である。例示的アプリ９４０は、ｂａｂｙ  Ｔｙｌｅｎｏｌ（登録商標）（Ｊｏｈｎｓｏｎ＆Ｊｏｈｎｓｏｎ，Ｎｅｗ  Ｂｒｕｎｓｗｉｃｋ，ＮＪ）、ｂａｂｙ  Ｍｏｔｒｉｎ（登録商標）（Ｐｆｉｚｅｒ  Ｉｎｃ．，Ｎｅｗ  Ｙｏｒｋ，ＮＹ）、およびｂａｂｙ  Ａｄｖｉｌ（登録商標）（Ｐｆｉｚｅｒ  Ｉｎｃ．，Ｎｅｗ  Ｙｏｒｋ，ＮＹ）を含む、但しこれらに限定されない投薬用のＩＦＵを含んでいる。例示的アプリ９４０は、同一パッチを（異なる時点で）用いる複数の小児用に別々のプロファイルを生成および保守できるように構成可能である。例示的アプリ９４０は、同一パッチ用に別々のプロファイルを生成および保守できる（各親は自身の電話に異なるパラメータを設定することを望む）ように構成可能である。例示的アプリ９４０は、複数のパッチ（例えば、家庭内の２人以上の小児が同時に病気である；双子／三つ子）を用いる複数のユーザー（小児を含む）用に別々のプロファイルを生成および保守できるように構成可能である。例示的アプリ９４０は、プロファイルに関連付けるべくユーザー識別情報（例えば、乳児の写真）のアップロードをサポートすべく構成可能である。
【０１３０】
例示的コンフォーマルセンサ装置９１０は、４８時間にわたり体温データを測定してログ取得すべく構成可能である。例示的コンフォーマルセンサ装置９１０は、体温がユーザー指定の閾値を上回ると、体温データをより頻繁に送信できるように構成可能である。例示的コンフォーマルセンサ装置９１０は、ユーザー定義された低温閾値設定点をサポートすべく構成可能である。例示的コンフォーマルセンサ装置９１０は、スマートフォンまたはその他の携帯装置用のアプリケーションを介したファームウェアの更新をサポートすべく構成可能である。例示的コンフォーマルセンサ装置９１０は、体温フラックス（体温の変化率）が所定の率を上回った場合、体温データを例示的アプリ９４０に自動的に送信すべく構成可能である。例示的コンフォーマルセンサ装置９１０は、生殖力（基礎体温の監視）および運動（過熱状態）等の追加的な体温検知およびログ取得アプリケーションへの拡張性をサポートすべく構成可能である。例示的コンフォーマルセンサ装置９１０は、複数のコンピューティング装置（例えば、３台を超えるスマートフォン（または他の携帯装置）上で例示的アプリ９４０に簡単に接続できるように構成可能である。
【０１３１】
例示的充電器９３０は、室温、周囲湿度、および他の環境指標を測定するセンサを有している。例示的充電器は、音声またはビデオ乳児モニタとして機能する。例示的アプリ９４０は、例示的コンフォーマルセンサ装置９１０へのユーザーオプトインまたはオプトアウト警報を可能にして、アプリがサポートする薬剤の通知をリコールすべく構成可能である。例示的アプリ９４０は、乳児の予防接種履歴をユーザーが追跡できるように構成可能である。例示的アプリ９４０は、乳児が病気であるため例示的コンフォーマルセンサ装置９１０の温度センサが既に使用中である時間に注目して、乳児の看護、飲食、排尿、および排便をユーザーが追跡をできるように構成可能である。例示的アプリ９４０は、１個のパッチより長いタイムスパンにわたり乳児の情報を高レベルで総括するカレンダ図を含むように構成可能である。例示的アプリ９４０は、温度データのシンジケートサービスプロファイルすなわちＲＳＳをユーザーが設定できるように構成可能である。
【０１３２】
例示的コンフォーマルセンサ装置９１０のサイズおよび快適性プロファイルを乳児に適しているように構成可能である。例示的コンフォーマルセンサ装置９１０の設計は、品質、快適性、および安全性を持たせるように構成可能である。コンフォーマルセンサ装置は、身体への装着、特に腋窩への装着のため適宜柔軟性を有すべく構成可能である。例示的コンフォーマルセンサ装置９１０は、分解（センサから接着剤を除去する）が簡単なように構成可能である。例示的コンフォーマルセンサ装置９１０は、簡単に再充電できるように構成可能である。
【０１３３】
例示的コンフォーマルセンサ装置９１０は、極めて薄く且つ柔軟であるように構成可能である。例示的コンフォーマルセンサ装置９１０は、最大厚が約２．６ｍｍ、および平均厚が約２ｍｍ未満であるように構成可能である。例示的コンフォーマルセンサ装置９１０は、掃除および清潔な外観の維持が簡単であるように構成可能である。例示的コンフォーマルセンサ装置９１０は、約２年の耐用年数をサポートすべく構成可能である。例示的充電器９３０は、コンフォーマルセンサ装置が完全に充電されたことを示すべく構成可能である。例示的充電器９３０は、壁コンセントから直接、およびコード経由の両方の充電をサポートすべく構成可能である。例示的充電器９３０は、常夜灯機能を有すべく構成可能である。例示的アプリ９４０は、１回のキーストローク（タップ）で温度を表示すべく構成可能である。例示的アプリ９４０は、時間に伴う乳児の体温のグラフを示すべく構成可能である。例示的アプリ９４０は、するように構成可能である。
【０１３４】
例示的コンフォーマルセンサ装置９１０は、ＥＵ内での使用に対する技術的要件（電気コンセントアダプタの種類を含む）を満たすべく構成可能である。例示的コンフォーマルセンサ装置９１０は、平均厚が１．５ｍｍ未満であるように構成可能である。例示的充電器９３０は、壁コンセントまたは調理台スペースを占有することなく充電または充電状態の維持をサポートすべく電池を保持する。
【０１３５】
例示的コンフォーマルセンサ装置９１０は、乳児の皮膚に過度の炎症または赤みが生じさせないように構成可能である。例示的コンフォーマルセンサ装置９１０の取り外しは、受容できる不快さレベルを超えないように構成可能である。
【０１３６】
コンフォーマル温度センサ装置は、電池駆動の電子装置であってよく、温度情報を記録、保存、および表示する無線受信器およびソフトウェアアプリケーション（スマートフォン、コンピュータまたはタブレットまたはその他の携帯装置上の）により利用される温度データを周期的に無線送信しながら、人間の体温を連続的または断続的に測定および監視するために利用できる。温度センサは、再利用可能な温度センサを含み、例えば使い捨て接着パッチにより、患者に適用することができる。温度センサは、成人および（新生児期を過ぎた）小児に対して使用可能である。
【０１３７】
コンフォーマル温度センサ装置は、温度情報を記録、保存、および表示する無線受信器およびソフトウェアアプリケーション（スマートフォン、コンピュータまたはタブレット上の）により利用可能な温度データを周期的に無線送信しながら人間の体温を連続的または断続的に測定および監視すべく利用可能な電池駆動の電子装置であってよい。コンフォーマル温度センサ装置は、再利用可能な温度センサを含み、使い捨て接着パッチにより患者に装着される。温度センサは、成人および（新生児期を過ぎた）小児に用いることができる。
【０１３８】
例示的アプリ９４０は、測定値の解析および所定閾値との比較により、潜在的危害（例えば、乳児が病気の時）のリスクを示す警報を発する場合、コンフォーマルセンサ測定値、および／または乳児の体温、薬歴またはその他の関連情報、但しこれに限定されない物体または人体に関する他の情報を自動的に記録すべく構成可能である。
【０１３９】
例示的コンフォーマルセンサ装置９１０は、米国におけるＦＤＡ承認用の全ての適用可能な規制基準および要件を満たすべく構成可能である。
例示的コンフォーマルセンサ装置９１０は、ＣＥ承認の全ての適用可能な規制基準およびの必要状態を充電すべく構成可能である。
【０１４０】
例示的コンフォーマルセンサ装置９１０は、臨床環境における動作に適すべく構成可能である。
例示的コンフォーマルセンサ装置９１０は、ヨーロッパおよび米国外の他の地域における規制要件を満たすべく構成可能である。
【０１４１】
例示的コンフォーマルセンサ装置９１０は、直観的且つ高速に家庭Ｗｉ−Ｆｉネットワークと接続できるように構成可能である。
例示的コンフォーマルセンサ装置９１０は、平均的な規模の単一家族の家の大部分をカバーする範囲において、家庭利用環境での動作に適すべく構成可能である。信号は、少なくとも乳児のゆりかごから親の部屋まで到達すべく構成可能である。
【０１４２】
例示的コンフォーマルセンサ装置９１０アプリケーション（センサへの接着的取付および身体へのセンサ着用）は、直観的且つ高速であるように構成可能である。
例示的コンフォーマルセンサ装置９１０は、長寿命で、再充電間隔が最大（持続期間が約６カ月等、但しこれに限定されない）であるように構成可能である。
【０１４３】
例示的充電器９３０は、短時間（約１時間等、但しこれに限定されない）でセンサを再充電すべく構成可能である。
例示的コンフォーマルセンサ装置９１０の無線信号到達範囲は、場所全体（平均的規模の単一家族の家等、但しこれに限定されない）をカバーすべく構成可能である。
【０１４４】
図１４Ａに、本明細書に記述する任意の例示的システム、方法、または装置の実装形態に基づいて、環境条件を調整する命令を送信できるビルディングオートメーションシステムのコントローラ１４１０の例示的インターフェースを示す。
【０１４５】
図１４Ｂに、コントローラが、建物の異なる区画に設置されたサーモスタット１４２０−ａ、１４２０−ｂおよび１４２０-−ｃである実装形態例を示す。任意の部屋の任意の個人１４３０に接続されたコンフォーマルセンサ装置を用いて実行された測定を表すデータを本明細書に記述するように解析して、サーモスタット１４２０−ａ、１４２０−ｂおよび１４２０-−ｃの１つに向けて命令を生成することができる。本明細書に記述するように、建物内の所与の区画内の物体または人体に接続されたコンフォーマルセンサ装置からの測定データの解析に基づいて、建物の異なる部分を異なる動作設定点に維持することができる。環境調整システムのコントローラに対するコマンドは、動作設定点を時間の関数として変更する命令を含んでいる。
【０１４６】
一実装形態例において、環境調整システムはＨＶＡＣであり、環境調整システムのコントローラに対するコマンドは建物のＨＶＡＣの動作設定点を変更する命令を含んでいる。本例において、ＨＶＡＣの設定点は、ＨＶＡＣが建物内の気温を維持する温度として定義することができる。いずれの例でも、設定点は、指定された温度（例えば、２０℃）、またはＨＶＡＣに建物を維持するよう指示された温度の上限と下限（例えば、２０℃〜２２℃）の温度範囲であってよい。
【０１４７】
各コンフォーマルセンサ装置は、環境条件および／またはコンフォーマルセンサ装置に関連付けられた物体または人体の生理的測定値の監視に基づいて、履歴データログをアップロードする送信モジュールを有すべく構成可能である。特定の基準が満たされる場合、本明細書に記述するように、環境調整システムのコントローラにリアルタイムデータを渡すことができる。
【０１４８】
一例において、例示的システム、方法、または装置は、コンピューティング装置のコントローラ（スマートサーモスタット等、但しこれに限定されない）および／またはアプリが、コンフォーマルセンサ装置からのデータ受信に対する肯定応答信号を送信し、コンフォーマルセンサ装置がそのような肯定応答を受信すると通信を終了すべく構成可能である。
【０１４９】
一例において、コントローラ（スマートサーモスタット等、但しこれに限定されない）は、保存されたデータ（データログ）、計算されたパラメータの保存された値、または実際のパラメータ読み取り値に基づいて、気候関連の設定項目（温度や湿度等）を調整する環境調整システムの設定点を調整すべく構成可能である。
【０１５０】
一例において、コンフォーマルセンサ素子は、オンボードのエネルギー源を無線で再充電できるような無線環境発電機構を含むように構成可能である。
例示的アプリを用いる非限定的な実装形態例
コンピューティング装置上のアプリの非限定的な実装形態例を記述する。アプリは、一連のスクリーンショットおよびナビゲーション手順との関連で記述しているが、本明細書の主題はこれらに限定されない。
【０１５１】
記述する非限定的な実装形態例において、アプリは、少なくとも１個の温度センサ素子を含む例示的コンフォーマルセンサ装置での利用について記述している。例示的アプリケーションは、Ａｎｄｒｏｉｄ（商標）アプリケーションとして、またはｉＯＳ（登録商標）オペレーティングシステムまたはＷｉｎｄｏｗｓ（登録商標）オペレーティングシステムを含む他のオペレーティングシステムで動作すべく構成可能である。
【０１５２】
実装形態例における非限定的な例示的要素および材料は以下の通りである。アプリは、Ａｎｄｒｏｉｄオペレーティングシステムが動作するＮＦＣ搭載の、インターネット接続された携帯コンピューティング装置（Ｓａｍｓｕｎｇ  Ｇａｌａｘｙ  Ｎｏｔｅ  ＩＩ（登録商標）等、但しこれに限定されない）で利用できる。アプリは、センサアプリ（＊．ａｐｋファイル）としてダウンロードすべく構成可能である。
【０１５３】
Ａｎｄｒｏｉｄ（商標）オペレーティングシステムまたはその他のオペレーティングシステムが動作する異なる種類のコンピューティング装置の各々は、ＮＦＣアンテナサイズおよび／または位置が異なっていてよい。コンピューティング装置とコンフォーマルセンサ装置を含むパッチとの間の接続（同期（「ｓｙｎｃ」））を保証すべくコンピューティング装置の最適な位置および／または向きは決定するために約１０分、約１５分、約２０分以上等、但しこれらに限定されない一定時間かかる場合がある。例示的アプリは、最適な位置および／または向きを見つけるためにコンピューティング装置に「センサを同期させる」ことをユーザーに要求するアニメーションを提示すべく構成可能である。コンフォーマルセンサ装置からコンピューティング装置にデータを転送するために一定時間安定した接続が必要な場合がある。いずれの実装形態例でも、アプリは、適切な接続がなされていないことを示す「同期失敗」メッセージを表示すべく構成可能である。
【０１５４】
一実装形態例において、同期化に成功すると、アプリは、電池状態の表示、同期化されたセンサの指定、所望のサンプリング周期、ユーザーの年齢、またはユーザーの皮膚タイプ等、但しこれらに限定されないパラメータを指定する情報の入力要求のうちの少なくとも１つを実行すべく、例えばポップアップを用いてユーザーにプロンプトを提示すべく構成可能である。
【０１５５】
例示的アプリは、本明細書に記述するように、物体または人体に危害が及ぶ潜在的リスクを監視する、および／または環境条件を調整するように実装可能である。
コンフォーマルセンサ装置の非限定的な実装形態例
一例において、コンフォーマルセンサ装置はパッチとして構成可能である。非限定的な例示的コンフォーマルセンサ装置は、被験者の一部に装着、または近接配置可能である。例えば、コンフォーマルセンサ装置は皮膚に装着可能である。一例において、コンフォーマルセンサ装置は、可撓性および／または伸縮性を有するようにコンフォーマル電子装置として構成されている。
【０１５６】
非限定的な例において、コンフォーマルセンサ装置は、本明細書に記述する原理に従い、異なる種類のセンサを用いてユーザーの身体またはユーザーの環境の状態に関するデータを測定および／または保存すべく構成可能である。
【０１５７】
非限定的な例において、コンフォーマルセンサ装置は、無線または有線接続を介して情報を送信および／または受信すべく構成可能である。例えば、非限定的な例示的コンフォーマルセンサ装置は、ラップトップまたは携帯装置等、但しこれらに限定されないコンピューティング装置と通信すべく構成可能である。
【０１５８】
非限定的な例において、コンフォーマルセンサ装置は、Ｂｌｕｅｔｏｏｔｈ（登録商標）低エネルギー（ＢＴＬＥ）通信プロトコルを含むＢｌｕｅｔｏｏｔｈ（登録商標）プロトコルを介して情報を送信および／または受信すべく構成可能である。例えば、コンフォーマルセンサ装置は、コンピューティング装置（携帯装置等、但しこれに限定されない）がコンフォーマルセンサ装置との通信圏内に存在しない場合はＷｉＦｉ通信を中継すべくＢＴＬＥを含んでいてよい。
【０１５９】
いずれの例でも、コンフォーマルセンサ装置は、当技術分野における他の任意の通信プロトコルを用いて情報を送信および／または受信すべく構成可能である。
非限定的な例として、コンフォーマルセンサ装置は、（温度計パッチとして機能する）コンフォーマルセンサ装置を含むように構成可能である。
【０１６０】
本明細書のいずれの例でも、コンフォーマルセンサ装置は、ＦＤＡクラス２医療機器として構成可能である。
本明細書に記述する原理に従う例示的温度センサシステムは、電磁誘導／ＷｉＦｉブリッジ充電ステーションに接続すべく構成可能である。
【０１６１】
本明細書のいずれの例でも、コンフォーマルセンサ装置は、接着性ステッカー等、但しこれに限定されない接着剤を用いて被験者の一部に装着すべく構成可能である。
非限定的な例として、コンフォーマルセンサ装置は、柔らかい、可撓性の、封入された、耐久性を有する電子モジュール上に形成可能である。非限定的な例として、形成は、ウェハー処理、ＳＭＴリフロー、可撓性回路アセンブリ、フリップチップベアダイ取付、シリコーン封入、および機能試験の１つ以上を含む製造工程によるものであってよい。
【０１６２】
一実装形態例において、電磁誘導／ＷｉＦｉブリッジ充電ステーションを用いて、コンフォーマルセンサ装置を電磁誘導的に充電することができる。
本明細書に記述する原理に従う例示的コンフォーマルセンサ装置は、照明光源または聴覚警報システムを含んでいてよい。照明光源または聴覚警報システムを用いて上述の警報のいずれをも発することができる。照明光源はまた、内蔵型常夜灯として、および／またはコンフォーマルセンサ装置により測定および／または保存された温度データ、またはそのようなデータの解析に関する情報を送信する手段として機能することができる。例えば、光源の照明レベル、または光源の色（赤、緑、黄色等、但しこれらに限定されない）の変化を利用して、温度変化の通知を含む上述のいずれの警報をも発することができる。別の例において、上述のいずれの警報、または温度データあるいは温度測定データの解析に関する他の任意の情報は、（受理された通信プロトコルに従う）照明光源の点滅を通じて伝達することができる。聴覚的変化もまた、温度変化の通知を含む上述の任意の警報を発することに利用できる。例えば、警報の聴覚レベルまたは聴覚警報のトーンの変化を用いて、警報（所定閾値を上回る温度の変化に起因することも含む）を通知することができる。別の例において、温度データまたは温度データの解析に関する情報は、聴覚警報（受理された通信プロトコルによる）の音のパターンの変化を通じて伝達することができる。
【０１６３】
環境順応トレーニングの非限定的な例
本明細書に記述する原理に従うシステム、方法、および装置は、特定の気候におけるパフォーマンスを向上させるべく設計されたトレーニング計画を監視すべく、体表および体幹温度を含む生理的指標の定量値を提供する例示的コンフォーマルセンサ装置を提供する。本明細書に記述する原理に従う柔らかい薄型のコンフォーマル装置を用いて体温を監視し、そのデータを用いることにより、活動レベルにより体表または体幹温度が特定の指定値より高い、等しい、または低い状態に維持されて、環境条件と共に、高度（気圧）、湿度、温度を含むがこれらに限定されない、温度が異なる他の気候でより高いパフォーマンスが保証される。コンディショニングプログラムは、地元環境から遠征先の環境までのパフォーマンス目標を決定することにより個人に合わせて調整することができる。このように、パフォーマンスを向上させたい運動選手またはその他の個人は、異なる環境に向けてトレーニングしながら、環境内でパフォーマンス向上させることができる。場合によっては、高温でのトレーニングは、異なる環境における広範囲な遠征先の温度に身体を慣らすことができる。
【０１６４】
非限定的な例として、コンフォーマルセンサ装置は、コンフォーマル且つ薄い身体着用温度パッチとして構成可能であって、最新且つ正確な体温を提供すべく、身体と密着させて配置するかまたは身体に近接して配置することができる。熱流束計算は、２個以上のそのような装置により収集されたデータを用いて、パッチの一方の側から他方の側までの熱流束を評価することができる。また、体温測定用の複数パッチおよび／または複数のセンサを備えたパッチを用いて、全身の体温データを測定して活動の特定の「熱い」領域を識別することができる。
【０１６５】
激しい運動時の体温を予測する非限定的な例
体温、特に体幹温度は、体温監視に加えて生理的データ監視（筋肉活動の監視を含む）および／または運動検知および解析等、但しこれらに限定されないモダリティを組み合わせることにより、切迫した過熱状態または脱水症を予想してこれらの兆候または指標を提供するものであるが、体温変化につながる直接的行動のより良い画像を提供すべく利用できる。このように、体温変化および特定の行動（流体の接種、活動の減少）が予想される前に、これらを診断および処方することができる。予想される血流およびその結果生じる発汗喪失および体温上昇は、これらの問題に対処する必要が最大であるかまたは問題となる（例えば、被験者のパフォーマンスまたは水分摂取レベルが所定閾値を下回る）前に予想／予測することができる。
【０１６６】
運動および筋肉活動が上昇するに従い、その後の体温変化が予想され、これらの減少に関する問題を緩和する処置を行うことができる。ユーザーまたはコーチあるいはトレーナーに指標を伝達し、これに基づいて衣服の構成を変更する、重ね着している衣服を脱ぐ、通気口を開く等の処置を行うことができる。一例として、光インジケータまたは音響での簡単な警報が挙げられる。他の手段として、ユーザーに警告可能なスマートフォンへの通信であってよい。また、衣服の構成を変更させるべく、体温に反応するかまたは信号に反応することにより布地の通気性を向上させる各種機能を有する新たな種類の衣服。
【０１６７】
エリート運動選手、アマチュアスポーツの参加者、および学生運動選手が高度に最適化されたウォームアップルーティンの恩恵を受けることができ、建築、修理、軍事等、かなりのリスクを負う産業分野も同様である。例えば、Ｃｈｒｉｓｔｉａｎ  Ｃｏｏｋ，ｅｔ  ａｌ．，“Ｄｅｓｉｇｎｉｎｇ  ａ  Ｗａｒｍ−ｕｐ  Ｐｒｏｔｏｃｏｌ  ｆｏｒ  Ｅｌｉｔｅ  Ｂｏｂ−ｓｋｅｌｅｔｏｎ  Ａｔｈｌｅｔｅｓ，Ｉｎｔｅｒｎａｔｉｏｎａｌ  Ｊｏｕｒｎａｌ  ｏｆ  Ｓｐｏｒｔｓ  Ｐｈｙｓｉｏｌｏｇｙ  ａｎｄ  Ｐｅｒｆｏｒｍａｎｃｅ，Ｊｕｎｅ  ２５，２０１２を参照されたい。熱中症および脱水症は、健康および安全性リスクに関して解決すべき生理的課題であるが、両方とも、短距離競走パフォーマンスよりもウォームアップルーティン（怪我の危険性を減らしてパフォーマンスを向上させることができる）を優先させることの恩恵を受けられるが、両者は相関し得る。一例として、全員に共通する単一の体温ガイドラインは存在しない。
【０１６８】
本明細書に記述するシステム、方法、および装置の実装形態例として、コンフォーマルセンサ装置の応答は、個々のニーズに合わせて調整することができる。体温の閾値および変化は被験者毎、および個人毎に違うため、いずれのシステムもワークアウト前、最中、および後で生理的パラメータを監視することによりこれらの違いを考慮に入れなければならない。これは、身体の変化および結果を監視して評価を行うべく特定のトレーニングまたは運動活動を行う特定の被験体または個人向けの較正処理となり得る。
【０１６９】
本明細書に記述するシステム、方法、および装置の実装形態例は体重管理に利用できる。パッチベースの装置を用いて、体温の変化に相関している測定値を提供することができる。体型を維持することは、身体の運動への反応の変化に相関している場合があり、熱流束測定を用いる体幹温度はこの能力を提供することができる。
【０１７０】
体幹温度（適切なウォームアップの結果としての）は、パフォーマンス出力パワーすなわち瞬発力（例えば、短時間でのパフォーマンス出力増大）に関連付けることができる。高い体温とパフォーマンスの顕著な低下を関連付ける多くの証拠がある。しかし、パフォーマンスが最高である中間範囲がある。すなわち暖か過ぎず、涼し過ぎないことである。従って、フットボールまたは短距離走等の多くのスポーツ用途に瞬発力を高めるために体温を監視することは、これらの例におけるパフォーマンスにとって重要であり得る。
【０１７１】
本実装形態例では、本明細書に記述する警報を用いてパフォーマンスを阻害する潜在的リスクを示すことができる。
激しい運動を行う前のウォームアップの調節レベルを追跡する非限定的な例
激しい運動または競技本番に先行するウォームアップ動作の効果に利点があるが、ウォームアップと本番との間の経過時間が長過ぎればこの利点が失われる。温度を含む各種のパラメータを監視することにより、ウォームアップ動作後の状態を監視して、本番への準備が継続され、且つウォームアップ状態が維持されることを保証できる。本明細書に記述する原理による例示的コンフォーマルセンサ装置は、スタンドアローン装置またはスマートフォン（あるいは他のコンピューティング装置）等の第２の監視装置と組み合わせて用いることにより、準備状態が維持されていることを保証すべく１人以上の被験者（人間等）を監視することができる。温度またはその他のパラメータまたはパラメータの組が所定の閾値を下回る場合、ウォームアップ動作を行うことにより状態に維持することができる。
【０１７２】
このように、ウォームアップの有利な面を維持し、ピークパフォーマンスを保証して怪我の危険性を低下させることができる。例えば、Ｇａｌａｚｏｕｌａｓ  ｅｔ  ａｌ，“Ｇｒａｄｕａｌ  ｄｅｃｌｉｎｅ  ｉｎ  ｐｅｒｆｏｒｍａｎｃｅ  ａｎｄ  ｃｈａｎｇｅｓ  ｉｎ  ｂｉｏｃｈｅｍｉｃａｌ  ｐａｒａｍｅｔｅｒｓ  ｏｆ  ｂａｓｋｅｔｂａｌｌ  ｐｌａｙｅｒｓ  ｗｈｉｌｅ  ｒｅｓｔｉｎｇ  ａｆｔｅｒ  ｗａｒｍ−ｕｐ”，Ｅｕｒ  Ｊ  Ａｐｐｌ  Ｐｈｙｓｉｏｌ（２０１２）１１２：３３２７−３３３４を参照されたい。
【０１７３】
本実装形態例において、本明細書に記述する警報を用いて、パフォーマンスが阻害される潜在的リスクを示すことができる。
コンフォーマル装置を用いて検知された情報に反応する一体的検知を行う非限定的な例示的衣料
別の例において、衣料製品と一体化されたコンフォーマルセンサ装置を用いて、目標温度に制御する能力が得られる。例として、野球のピッチャー、フットボールのクォーターバック、テニスまたはサッカーが含まれ、ポジションに応じて腕、肩、または脚の温度がコンフォーマルパッチベースの装置により測定された体温の関数として制御される一体化発熱体により能動的に制御可能である。
【０１７４】
本例において、体温等の局所的に検知された情報および運動検知ならびに解析が、体温、運動、筋肉活動、心拍数および心拍数の変動、ならびに呼吸を含む、但しこれらに限定されない情報源の１つ以上を用いて体温の変化を予想する予測手段として利用できる。
【０１７５】
検知モダリティの一式を接続する非限定的な例
別の実施形態において、運動および筋電図検査（ＥＭＧ）を含む、但しこれらに限定されない検知モダリティを用いて身体パフォーマンスをより正確且つ詳細に評価することができる。このように、１個以上のセンサ（同種または異なる種類の）から、データを取集する記録システムを用いて、体温変化と活動との相関を求めることができる。これを湿度、雨、温度変化、気圧等に関する環境情報と組み合わせて、異なる条件および特定の種類の活動下で身体がどのように振る舞うかの詳細なモデルの作成に利用できる。例えば、山に登り、次いで洞窟に入ることは、同等の身体的運動を必要とするが、身体は、環境毎に環境値が顕著に変動し得るために異なるこれらの環境に適応できる。
【０１７６】
一例として、熱中症が体温および心拍数により徴候が示されることが分かる。
本明細書に記述するシステム、方法、および装置の実装形態例を用いて、ウォームアップ中の能動的体温上昇、または試合後のクールダウン中における危害の潜在的リスクの警報を提供することができる。
【０１７７】
スポーツ選手がトレーニング室外に出て、他の人々と活動しながら交流できることが、体温を選択的に上昇および低下させる可搬且つ着用可能なシステムを有することの利点であり得る。監視システムは、本明細書に記述する原理による例示的コンフォーマルセンサ装置（パッチ等、但しこれに限定されない）に内蔵可能である。
【０１７８】
体温調節に関する怪我の影響の非限定的な例
本明細書に記述する原理による、パッチベースシステム等、但しこれに限定されない例示的コンフォーマルセンサ装置を用いて、局所的体温変化を追跡して怪我の部位を識別することができる。怪我をしている間、その領域への血流が増加する結果、その領域の体温状態が変化する場合がある。従って、本明細書に記述する例示的コンフォーマルセンサ装置は、局所的な怪我の部位を識別すべく、上述のように警報を発するように構成可能である。実際、一領域への血流により、別の領域で震えが生じる場合がある。従って、一領域での体温低下は、別の領域での怪我（および体温上昇）を示す場合がある。
【０１７９】
本明細書に記述する原理による、パッチベースシステム等、但しこれに限定されない例示的コンフォーマルセンサ装置は、衣服または広域パッチと一体化された高密度センサの配列等、但しこれらに限定されない分散体温検知モダリティを含んでいてよい。
【０１８０】
非限定的な例として、水着の場合、サメ皮スイムキャップを着用することでウォームアップ運動が促進される。本例において、コンフォーマルセンサ装置は、身体各部を暖めるエネルギー貯蔵装置（電池パック等、但しこれに限定されない）を含んでいてよい。これを用いて、（受動的ではなく）より能動的な体温調節により体温を維持することができる。
【０１８１】
一例として、プロラグビーリーグ選手の下半身のパワー発揮時および短距離走の反復時における受動的な体温維持の影響が挙げられる。Ｋｉｌｄｕｆｆ  ＬＰ，“Ｔｈｅ  ｉｎｆｌｕｅｎｃｅ  ｏｆ  ｐａｓｓｉｖｅ  ｈｅａｔ  ｍａｉｎｔｅｎａｎｃｅ  ｏｎ  ｌｏｗｅｒ  ｂｏｄｙ  ｐｏｗｅｒ  ｏｕｔｐｕｔ  ａｎｄ  ｒｅｐｅａｔｅｄ  ｓｐｒｉｎｔ  ｐｅｒｆｏｒｍａｎｃｅ  ｉｎ  ｐｒｏｆｅｓｓｉｏｎａｌ  ｒｕｇｂｙ  ｌｅａｇｕｅ  ｐｌａｙｅｒｓ．”Ｊ  Ｓｃｉ  Ｍｅｄ  Ｓｐｏｒｔ，２０１２  Ｄｅｃ  １３，Ｓ１４４０−２４４０（１２）。例えば、Ｉｍａｉ  Ｄ，“Ｌｏｗｅｒ  ｓｋｉｎ  ｔｅｍｐｅｒａｔｕｒｅ  ｄｅｃｒｅａｓｅｓ  ｍａｘｉｍａｌ  ｃｙｃｌｉｎｇ  ｐｅｒｆｏｒｍａｎｃｅ，”Ｏｓａｋａ  Ｃｉｔｙ  Ｍｅｄ  Ｊ．２０１１  Ｄｅｃ；５７（２）６７−７７を参照されたい。ウォーミングアップおよびストレッチ運動は、身体パフォーマンスを向上させてスポーツ関連の怪我を予防することができる。例えば、Ｓｈｅｌｌｏｃｋ  ＦＧ，“Ｗａｒｍｉｎｇ−ｕｐ  ａｎｄ  ｓｔｒｅｔｃｈｉｎｇ  ｆｏｒ  ｉｍｐｒｏｖｅｄ  ｐｈｙｓｉｃａｌ  ｐｅｒｆｏｒｍａｎｃｅ  ａｎｄ  ｐｒｅｖｅｎｔｉｏｎ  ｏｆ  ｓｐｏｒｔｓ−ｒｅｌａｔｅｄ  ｉｎｊｕｒｉｅｓ，”Ｓｐｏｒｔｓ  Ｍｅｄ．１９８５  Ｊｕｌ−Ａｕｇ；２（４）：２６７−７８を参照されたい。本明細書に記述する原理によるコンフォーマルセンサ装置は、体温調節監視の実行を容易にすることができる。
【０１８２】
例示的本明細書に記述するコンフォーマルセンサ装置は、体型的な調整プログラムの一部として用いる場合、他のモダリティおよび規範的調整と組み合わせて適切な体温調節を容易にすべく利用できる。本明細書に記述する例示的コンフォーマルセンサ装置を用いる体温測定は、怪我の防止、競技パフォーマンスの監視または向上、競技瞬発力の監視、および柔軟性を含むいくつかの利点を提供するプログラムの一部であってよい。
【０１８３】
体温データの解析に用いる生理および装置情報
本明細書に記述する例示的システム、方法、および装置は、体温を人間のパフォーマンスの有用な指標として監視すべく実装可能である。本明細書に記述する例示的システム、方法、および装置はまた、人間以外の動物のパフォーマンスを監視すべく利用できる。一実装形態例において、本明細書に記述するように、少なくとも１個のパラメータを所定閾値と比較した結果、物体または人体の温度が高過ぎることを示す場合、少なくとも１個の警報を発することができる。温度が高過ぎる状態は、パフォーマンスが低下する潜在的な危害のリスクを表す場合がある。
【０１８４】
例えば、体温の変化は、パフォーマンス低下の問題の兆候であり得る。潜在的な危害は高体温症または低体温症であるが、これらに限定されない。これらの各々は、所定閾値との比較結果が、受容可能な範囲を上回る体幹温度の変化を示す場合に示唆される場合がある。
【０１８５】
発汗測定および体液喪失もまた、パフォーマンスの追跡に利用でき、身体パフォーマンスまで追跡される。脱水症の潜在的リスクは身体の体温調節能力の低下を引き起こして、体幹温度を上昇させる場合がある。従って、本明細書に記述するコンフォーマルセンサを用いて、脱水症の危害の潜在的リスクを監視し、本明細書に記述するシステム、方法、および装置に基づいて警報を発することができる。また、脱水症の状態は、発汗喪失の増大および汗に含まれる電解質濃度の増大と相関を有する可能性がある。一実装形態例において、コンフォーマルセンサ装置は、少なくとも１個のパラメータを生成すべく解析可能な追加的なデータを提供する水分摂取センサを含んでいてよい。
【０１８６】
別の例において、身体的ストレスおよび／または精神的ストレスもまた、体温変化を介して現れる場合がある。従って、本明細書に記述するコンフォーマルセンサを用いて、身体的ストレスおよび／または精神的ストレスの危害の潜在的リスクを監視し、本明細書に記述するシステム、方法、および装置に基づいて警報を発することができる。
【０１８７】
いくつかの種類の人間のパフォーマンス限界は、体温監視により部分的に解決されよう。本明細書に記述する例示的システム、方法、または装置を用いて危害の潜在的リスクのリアルタイムフィードバックを警告の形で提供することができる。本明細書に記述する解析に従い発せられた警告に基づくリアルタイムフィードバックを用いて、環境条件、行動、活動レベル、あるいは物体または人体の他の状態を変えることができる。物体または人体が例えば極端に高温の環境にいる（小児または高齢者が暑い車内にいる、または作物または生ものが冷蔵されていない区画内にある場合等、但しこれらに限定されない）リスクにさらされていることを示すために警告を発することができる。警告に基づいて、小児または高齢者を暑い車内から連れ出すか、または作物または生ものを保存すべく区画内の冷蔵を改善することができる。
【０１８８】
一実装形態例において、例示的システム、方法、および装置を用いて身体の複雑な体温調節反応を監視することができる。例えば、寒冷な気候における四肢の皮膚温の急激な低下は、体幹温度を維持するために身体内で血液またはその他のリソースが分散していることを反映するが、パフォーマンスの差し迫った脅威を表してはいない場合がある。コンフォーマルセンサ装置の測定値を用いて天気／風の状態を示すことができる。衣服の種類および／またはコンフォーマルセンサ装置の位置決めが、コンフォーマルセンサ装置の共形接触の程度に影響を及ぼす場合がある。温度センサに掛かる負荷が性能に影響を及ぼす場合がある。本明細書に記述する薄型のコンフォーマルセンサ装置は、そのような負荷を緩和する程度の共形接触で装着することができる。
【０１８９】
身体インピーダンスは活動に応じて変化する場合がある。ある実装形態において、例示的システム、方法、および装置は、追加的な検知モダリティとして身体インピーダンスを測定すべく追加的なセンサ素子を含んでいてよい。インピーダンス測定値からのデータは、少なくとも１個のパラメータを生成する解析に含まれていてよい。
【０１９０】
一例において、スポーツ衣料企業等のユーザーまたは他の関係者は、本明細書に記述する例示的システム、方法、および装置に従い体温監視を行い、衣料またはその他の製品の性能を向上させることができる。例えば、既存の防寒衣料を用いて、体幹温度をある程度（Ｎ）上下させることができるが、これらは着用中のデータを提供しない。本明細書に記述するコンフォーマルセンサ装置に基づく温度センサは、衣料が個人の体温を首尾よく変化させるか否かに関するリアルタイムフィードバックを提供するモニタとして利用できるが、特定の問題には対処できない場合がある。
【０１９１】
環境条件の調整の非限定的な例
一実装形態例において、本明細書に記述するシステム、方法、および装置を用いて、周囲温度、湿度および／または他の環境データを表すデータ、ならびに物体または人体の生体測定関連パラメータを表すデータを解析エンジンおよび通知要素に提供するフィードバックループを形成することができる。従って、環境調整システムのコントローラに対する命令は、フィードバックループ内の解析に従い更新することができる。
【０１９２】
一例において、コントローラは「スマートサーモスタット」である。
一例において、コンフォーマルセンサ装置は、パッチ、または物体または人体（身体部位を含む）に接着可能であって且つ物体または人体の温度、あるいは物体または人体の付近の周囲温度を連続的に監視してフィードバックループを形成する他の任意の形式の要素として形成されていてよい。フィードバックループは、スマートサーモスタットとの無線通信を介して、スマートサーモスタットがフィードバックに基づいて温度またはその他の気候関連設定を調整できるように閉じている。
【０１９３】
コンフォーマルセンサ装置を用いる生体測定パラメータの連続的な監視および効率的な伝達により、物体または人体の自動化された測定を例示的システム、方法、または装置に一体化することができる。
【０１９４】
一実装形態例において、コンフォーマルセンサ装置は、毎日ある期間（数時間等）快適に着用できるように構成可能である。そのようないずれの例でも、コンフォーマルセンサ装置は、連続的な監視からの測定データを連続生体測定パラメータ履歴ログとして保存するメモリを含んでいてよい。一例において、コンフォーマルセンサ装置は、パラメータ履歴データを保存するフラッシュメモリ、ＥＥＰＲＯＭ、またはＦｅＲＡＭ等の不揮発性埋め込みメモリを含んでいてよい。また、このような埋め込みメモリを有していることで通信の必要性が減ってバッテリ寿命が延びる。いずれの例でも、コンフォーマルセンサ装置を含むシステムをリアルタイム監視用に構成可能である。
【０１９５】
コンフォーマルセンサ装置を用いて測定可能な生体測定パラメータには、温度（周囲および皮膚の両方）、湿度、圧力（空気圧および血圧）および脈拍を含んでいるがこれらに限定されない。
【０１９６】
例示的コンフォーマルセンサ装置は、コンピューティング装置（スマートフォンを含む）および／またはスマートサーモスタットと通信すべく構成可能である。
本明細書に記述するように、各コンフォーマルセンサ装置は、パッチに関連付けられたＩＤ要素（例えば、パッチ識別器）に基づいて認識可能である。例示的システム、方法、および装置は、各々の異なる物体または人体を識別して各パッチ識別器に関連付けるステップを含んでいてよい。
【０１９７】
一実装形態例において、ＩＤ要素を有するコンフォーマルセンサ装置は、例えば、位置が知られているスマート家電製品および／または電子機器との通信を介して位置に基づく情報を提供すべく利用可能な個別の識別器として機能すべく構成可能である。例えば、コンフォーマルセンサ装置を用いて、火事または発煙状態、ガス漏れ等、但しこれらに限定されない緊急時に人体または物体（人間以外の動物を含む）の位置を特定することができる。個人は自身の位置（すなわち、どの部屋にいるか）を、例えば部屋のスマート火事／煙探知器を介して他の個人または緊急通報システムに伝達することができる。また、コンフォーマルセンサ装置は、救出計画および意思決定を支援すべく、位置が特定された個人に関する、すぐ近くの周囲温度等、但しこれに限定されない主要情報を提供可能である。
【０１９８】
一実装形態例において、コンフォーマルセンサ装置を用いて、生活介護が必要な高齢者またはその他の人々の活動および／または位置を監視可能である。このような例において、コンフォーマルセンサ装置は、コンフォーマルセンサ装置とスマートホームヘルスコンソールとの間の通信を介して、連続的、継続的または断続的な血圧および／または脈拍監視を行うべく構成可能である。
【０１９９】
技術の追加的属性
本明細書に記述するいずれの例示的システム、方法、または装置も、コンフォーマルセンサ装置は、温度の特性を表すデータを測定すべく１個以上の異なる種類のセンサ素子を含んでいてよい。非限定的な例として、センサ素子は、サーミスタ（負温度サーミスタまたは正温度サーミスタを含む）、熱電対、抵抗温度計（薄膜プラチナ抵抗温度計を含む）、半導体ベースの温度センサ（シリコンバンドギャップ温度センサまたはＰＮ接合温度センサを含む）、赤外線温度センサ、化学温度センサ（例えば、比色変化に基づくもの）、または発振器の温度係数周波数応答に基づく検知（例えば、３次調波の測定に基づくもの）を含んでいてよい。
【０２００】
各種の実装形態例において、コンフォーマルセンサ装置は、少なくとも１個の測定を実行すべく人体の皮膚に装着または接続する、または耳に挿入する、あるいは（例えばカプセルの摂取により）体内に設置することができる。皮膚装着されたコンフォーマルセンサ装置を用いて、皮膚温の測定または皮膚に基づく体幹温度の測定を実行可能である。
【０２０１】
各種の実装形態例において、コンフォーマルセンサ装置の測定値は、異なる種類の情報処理を施すことができる。例えば、測定データのサンプリングレートを変更してシステムの動作効率を向上させることができる。データ収集の頻度およびサンプル測定の頻度（コンフォーマルセンサ装置が測定を実行する頻度）が、コンフォーマルセンサ装置の電源の寿命に影響を及ぼす（例えば、設定される頻度が高いほどパッチの電池寿命が短い）場合がある。各種の例において、コンフォーマルセンサ装置は、電源の寿命を延ばす休眠と再開サイクルの間隔を入力すべく構成可能である。一例において、環境発電を利用してコンフォーマルセンサ装置を含むシステムの動作の継続性を向上させることができる。
【０２０２】
各種の実装形態例において、コンフォーマルセンサ装置は、パッチとして構成可能、衣料と一体化すべく構成可能、別個の外部取付装置として構成可能、洗濯可能なように構成可能、および／または使い捨て用に構成可能である。
【０２０３】
各種の実装形態例において、コンフォーマルセンサ装置は、本明細書に記述する原理に従い、運動選手のトレーニング最適化、怪我の防止、および／または患者の介護等、但しこれらに限定されないアプリケーションで利用すべく構成可能である。
【０２０４】
各種の実装形態例において、コンフォーマルセンサ装置は、少なくとも１個の生理的ストレスモニター、少なくとも１個の水分摂取モニタ、および／または体温検知と一体化された小型イヤホンと一体化可能である。例えば、体幹温度データを表すデータと共に心拍数データを用いて生理的ストレスの定量値を与えることができる。
【０２０５】
例えば、小型イヤホンを赤外線温度センサと一体化させて体幹温度の測定値を提供することができる。別の例において、体幹温度は皮膚に取り付けたパッチの測定値から判定できる。
【０２０６】
結論
本明細書には多くの特定の詳細な実装形態が含まれるが、これらはいかなる発明の範囲または特許請求の範囲を限定するものとして解釈してはならず、むしろ本明細書に記述するシステムおよび方法の特定の実施形態に固有な特徴の説明として解釈すべきである。別個の実施形態として本明細書に記述する特定の特徴はまた、単一の実施形態の組み合わせによっても実施可能である。逆に、単一の実施形態として記述されている各種の特徴はまた、別個に複数の実施形態により、または任意の適当な部分的組み合わせによっても実施可能である。更に、上述の特徴は特定の組み合わせで動作可能であって初めからそのように特許請求され得るが、特許請求された組み合わせの１つ以上の特徴を組み合わせから除外される場合もあり、特許請求された組み合わせは、部分的な組み合わせまたは部分的な組み合わせの変型形態を目的とするものであってもよい。
【０２０７】
同様に、図面において特定の順序で動作を示しているが、所望の結果を得るためにこのような動作を図示する特定の順序または一連の順序で実行する、または図示する全ての動作を実行する必要があると解釈すべきではない。場合によっては、請求項に記述する動作を異なる順序で実行しても所望の結果を得ることができる。また、添付の図面に示す処理は、所望の結果を得るために必ずしも図示する特定の順序または一連の順序で実行されなければならない訳ではない。
【０２０８】
特定の状況において、マルチタスキングおよび並列処理が有利な場合がある。更に、上述の実施形態において各種のシステム要素を分離したことで、全ての実施形態でそのような分離が必要であると解釈してはならず、記述するプログラム要素およびシステムは一般に、単一のソフトウェア製品に組み込まれていても、または複数のソフト製品にパッケージ化されていてもよいと解釈すべきである。
【図１Ａ】
2016527649.tif 000003
【図１Ｂ−１】
2016527649.tif 000004
【図１Ｂ−２】
2016527649.tif 000005
【図２】
2016527649.tif 000006
【図９Ａ】
2016527649.tif 000007
【図９Ｂ】
2016527649.tif 000008
【図９Ｃ】
2016527649.tif 000009
【図１０Ａ】
2016527649.tif 000010
【図１０Ｂ】
2016527649.tif 000011
【図１１】
2016527649.tif 000012
【図１２】
2016527649.tif 000013
【図１３】
2016527649.tif 000014
【図１４Ａ】
2016527649.tif 000015
【図１４Ｂ】
2016527649.tif 000016
【図３】
2016527649.tif 000017
【図４】
2016527649.tif 000018
【図５】
2016527649.tif 000019
【図６】
2016527649.tif 000020
【図７】
2016527649.tif 000021
【図８Ａ】
2016527649.tif 000022
【図８Ｂ】
2016527649.tif 000023
【図８Ｃ】
2016527649.tif 000024
【図８Ｄ】
2016527649.tif 000025
【図８Ｅ】
2016527649.tif 000026
【図９Ｄ】
2016527649.tif 000027
【国際調査報告】
2016527649.tif 000028